(57)【要約】  端末装置は、第１のＵＬ−ＤＬ設定をセットし、物理下りリンク制御チャネルを介して第２のＵＬ−ＤＬ設定を示す情報を受信し、前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする。
2014162913.tif 000002
【特許請求の範囲】
【請求項１】
間欠受信の処理を行なう端末装置であって、
第１のＵＬ−ＤＬ設定をセットする設定部と、
物理下りリンク制御チャネルを介して第２のＵＬ−ＤＬ設定を示す情報を受信し、
前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする受信部と、を備える
ことを特徴とする端末装置。
【請求項２】
前記アクティブタイムは、タイマーがランニングしている期間を含み、
前記タイマーは、前記間欠受信のサイクルの始めから連続する前記第１のサブフレームの数に関連する
ことを特徴とする請求項１に記載の端末装置。
【請求項３】
前記タイマーは、前記間欠受信のサイクルの始めにおいてスタートし、前記間欠受信のサイクルの始めから連続する前記第１のサブフレームの数に基づいて満了する
ことを特徴とする請求項２に記載の端末装置。
【請求項４】
前記第１のＵＬ−ＤＬ設定に基づいて上りリンクサブフレームとして設定されるサブフレームは、前記第２のＵＬ−ＤＬ設定に基づいて上りリンクサブフレームまたは下りリンクサブフレームとして設定されうる
ことを特徴とする請求項１から３の何れかに記載の端末装置。
【請求項５】
ＨＡＲＱ−ＡＣＫを送信する送信部を備え、
前記設定部は、第３のＵＬ−ＤＬ設定をセットし、
前記受信部は、サブフレームｎにおける前記Ｃ−ＲＮＴＩをともなう物理下りリンク制御チャネルの検出に基づいて、前記Ｃ−ＲＮＴＩをともなう物理下りリンク制御チャネルに対応する物理下りリンク共用チャネルを前記サブフレームｎでデコードし、
前記送信部は、前記サブフレームｎでデコードした物理下りリンク共用チャネルに対する前記ＨＡＲＱ−ＡＣＫをサブフレームｎ＋ｋで送信し、
前記ｋは、前記第３のＵＬ−ＤＬ設定に基づいて与えられる
ことを特徴とする請求項１から４の何れかに記載の端末装置。
【請求項６】
前記送信部は、サブフレームｍにおける前記Ｃ−ＲＮＴＩをともなう物理下りリンク制御チャネルの検出に基づいて、前記Ｃ−ＲＮＴＩをともなう物理下りリンク制御チャネル対応する物理上りリンク共用チャネルを前記サブフレームｍ＋ｊで送信し、
前記ｊは、前記第１のＵＬ−ＤＬ設定に基づいて与えられる
ことを特徴とする請求項５に記載の端末装置。
【請求項７】
前記設定部は、測定ギャップをセットし、
前記受信部は、前記アクティブタイムの間、前記第２のＵＬ−ＤＬ設定に基づいて下りリンクサブフレーム、または、ＤｗＰＴＳを含むサブフレームとして設定されたサブフレームに対して、前記サブフレームが前記設定された測定ギャップの一部ではないならば、前記Ｃ−ＲＮＴＩをともなう物理下りリンク制御チャネルをモニタする
ことを特徴とする請求項１から４の何れかに記載の端末装置。
【請求項８】
前記第１のＵＬ−ＤＬ設定、および、前記第２のＵＬ−ＤＬ設定は、フレーム内における下りリンクサブフレーム、上りリンクサブフレーム、および、ＤｗＰＴＳを含むサブフレームによって定義される
ことを特徴とする請求項１に記載の端末装置。
【請求項９】
前記第３のＵＬ−ＤＬ設定は、フレーム内における下りリンクサブフレーム、上りリンクサブフレーム、および、ＤｗＰＴＳを含むサブフレームによって定義される
ことを特徴とする請求項５に記載の端末装置。
【請求項１０】
間欠受信の処理を行なう端末装置と通信する基地局装置であって、
前記端末装置に対して、第１のＵＬ−ＤＬ設定をセットする設定部と、
第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信する送信部と、を備え、
前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、
前記第２のサブフレームは、前記第２のＵＬ−ＤＬ設定に基づいて下りリンクサブフレーム、または、ＤｗＰＴＳを含むサブフレームとして設定されるサブフレームである
ことを特徴とする基地局装置。
【請求項１１】
前記アクティブタイムは、前記間欠受信のサイクルの始めから連続する前記第１のサブフレームの数に関連する
ことを特徴とする請求項１０に記載の基地局装置。
【請求項１２】
前記第１のＵＬ−ＤＬ設定に基づいて上りリンクサブフレームとして設定されるサブフレームは、前記第２のＵＬ−ＤＬ設定に基づいて上りリンクサブフレームまたは下りリンクサブフレームとして設定されうる
ことを特徴とする請求項１１または１２に記載の基地局装置。
【請求項１３】
ＨＡＲＱ−ＡＣＫを受信する受信部を備え、
前記設定部は、前記端末装置に対して第３のＵＬ−ＤＬ設定をセットし、
前記送信部は、サブフレームｎにおいて、前記Ｃ−ＲＮＴＩをともなう物理下りリンク制御チャネル、および、前記Ｃ−ＲＮＴＩをともなう物理下りリンク制御チャネルに対応する物理下りリンク共用チャネルを送信し、
前記受信部は、前記サブフレームｎで送信した物理下りリンク共用チャネルに対するＨＡＲＱ−ＡＣＫをサブフレームｎ＋ｋで受信し、
前記ｋは、前記第３のＵＬ−ＤＬ設定に基づいて与えられる
ことを特徴とする請求項１０から１２の何れかに記載の基地局装置。
【請求項１４】
前記送信部は、サブフレームｍにおいて前記Ｃ−ＲＮＴＩをともなう物理下りリンク制御チャネルを送信し、
前記受信部は、前記Ｃ−ＲＮＴＩをともなう物理下りリンク制御チャネル対応する物理上りリンク共用チャネルを前記サブフレームｍ＋ｊで受信し、
前記ｊは、前記第１のＵＬ−ＤＬ設定に基づいて与えられる
ことを特徴とする請求項１３に記載の基地局装置。
【請求項１５】
前記第１のＵＬ−ＤＬ設定、および、前記第２のＵＬ−ＤＬ設定は、フレーム内における下りリンクサブフレーム、上りリンクサブフレーム、および、ＤｗＰＴＳを含むサブフレームによって定義される
ことを特徴とする請求項１０に記載の基地局装置。
【請求項１６】
前記第３のＵＬ−ＤＬ設定は、フレーム内における下りリンクサブフレーム、上りリンクサブフレーム、および、ＤｗＰＴＳを含むサブフレームによって定義される
ことを特徴とする請求項１３に記載の基地局装置。
【請求項１７】
間欠受信の処理を行なう端末装置に実装される集積回路であって、
第１のＵＬ−ＤＬ設定をセットする機能と、
物理下りリンク制御チャネルを介して第２のＵＬ−ＤＬ設定を示す情報を受信する機能と、
前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする機能と、を含む一連の機能を前記端末装置に発揮させる
ことを特徴とする集積回路。
【請求項１８】
間欠受信の処理を行なう端末装置と通信する基地局装置に実装される集積回路であって、
前記端末装置に対して、第１のＵＬ−ＤＬ設定をセットする機能と、
第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信する機能と、を含む一連の機能を前記基地局装置に発揮させ、
前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、
前記第２のサブフレームは、前記第２のＵＬ−ＤＬ設定に基づいて下りリンクサブフレーム、または、ＤｗＰＴＳを含むサブフレームとして設定されるサブフレームである
ことを特徴とする集積回路。
【請求項１９】
間欠受信の処理を行なう端末装置に対して用いられる無線通信方法であって、
第１のＵＬ−ＤＬ設定をセットし、
物理下りリンク制御チャネルを介して第２のＵＬ−ＤＬ設定を示す情報を受信し、
前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする
ことを特徴とする無線通信方法。
【請求項２０】
間欠受信の処理を行なう端末装置と通信する基地局装置に対して用いられる無線通信方法であって、
前記端末装置に対して、第１のＵＬ−ＤＬ設定をセットし、
第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信し、
前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、
前記第２のサブフレームは、前記第２のＵＬ−ＤＬ設定に基づいて下りリンクサブフレーム、または、ＤｗＰＴＳを含むサブフレームとして設定されるサブフレームである
ことを特徴とする無線通信方法。
【発明の詳細な説明】
【技術分野】
【０００１】
本発明は、端末装置、基地局装置、集積回路、および、無線通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。【０００４】
３ＧＰＰにおいて、上りリンクのトラフィックと下りリンクのトラフィックに応じて、上りリンクリソースと下りリンクリソースの比率を変更するトラフィックアダプテーション技術と干渉軽減技術（DL-UL Interference Management and Traffic Adaptation）をＴＤ−ＬＴＥに適用することが検討されている。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、移動局装置は、基地局装置によって、フレキシブルサブフレームにおいて上りリンク信号の送信を指示されない限り、該フレキシブルサブフレームを下りリンクサブフレームとみなす。該トラフィックアダプテーション技術をダイナミックＴＤＤとも称する。【０００６】
非特許文献１には、新たに導入する上りリンク−下りリンク設定（uplink-downlink configuration）に基づいてＰＤＳＣＨ（Physical Downlink Shared CHannel）に対するＨＡＲＱ（Hybrid Automatic Repeat reQuest）タイミングを決定し、最初のUL-DL configurationに基づいてＰＵＳＣＨ（Physical Uplink Shared CHannel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされうることが記載されている。【０００８】
ＬＴＥリリース１０において、移動局装置に対して、複数のセルが設定されるキャリアアグリゲーション技術が導入された。
【先行技術文献】
【非特許文献】
【０００９】
【非特許文献１】"On standardization impact of TDD UL-DL adaptation", R1-122016, Ericsson, ST-Ericsson,3GPP TSG-RAN WG1 Meeting #69, Prague, Czech Republic, 21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【発明の概要】
【発明が解決しようとする課題】
【００１０】
上りリンクリソースと下りリンクリソースの比率を変更しない場合に比べて、トラフィックアダプテーション技術を適用した場合には、大きなスループットの改善が得られる。しかしながら、ダイナミックＴＤＤが適用される無線通信システムにおいて、ＤＲＸ（Discontinuous Reception）を行なう技術は十分検討されていない。【００１１】
本発明は上記の点に鑑みてなされたものであり、その目的は、ダイナミックＴＤＤが適用される無線通信システムにおいて、効率的にＤＲＸを行なうことができる端末装置、基地局装置、集積回路、および、無線通信方法を提供することである。
【課題を解決するための手段】
【００１２】
（１）上記の目的を達成するために、本発明は、以下のような手段を講じた。すなわち、本発明の端末装置は、間欠受信の処理を行なう端末装置であって、第１のＵＬ−ＤＬ設定をセットする設定部と、物理下りリンク制御チャネルを介して第２のＵＬ−ＤＬ設定を示す情報を受信し、前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする受信部と、を備える。【００１３】
（２）また、本発明の端末装置において、前記アクティブタイムは、タイマーがランニングしている期間を含み、前記タイマーは、前記間欠受信のサイクルの始めから連続する前記第１のサブフレームの数に関連する。【００１４】
（３）また、本発明の端末装置において、前記タイマーは、前記間欠受信のサイクルの始めにおいてスタートし、前記間欠受信のサイクルの始めから連続する前記第１のサブフレームの数に基づいて満了する。【００１５】
（４）また、本発明の端末装置において、前記第１のＵＬ−ＤＬ設定に基づいて上りリンクサブフレームとして設定されるサブフレームは、前記第２のＵＬ−ＤＬ設定に基づいて上りリンクサブフレームまたは下りリンクサブフレームとして設定されうる。【００１６】
（５）また、本発明の端末装置は、ＨＡＲＱ−ＡＣＫを送信する送信部を備え、前記設定部は、第３のＵＬ−ＤＬ設定をセットし、前記受信部は、サブフレームｎにおける前記Ｃ−ＲＮＴＩをともなう物理下りリンク制御チャネルの検出に基づいて、前記Ｃ−ＲＮＴＩをともなう物理下りリンク制御チャネルに対応する物理下りリンク共用チャネルを前記サブフレームｎでデコードし、前記送信部は、前記サブフレームｎでデコードした物理下りリンク共用チャネルに対する前記ＨＡＲＱ−ＡＣＫをサブフレームｎ＋ｋで送信し、前記ｋは、前記第３のＵＬ−ＤＬ設定に基づいて与えられる。【００１７】
（６）また、本発明の端末装置において、前記送信部は、サブフレームｍにおける前記Ｃ−ＲＮＴＩをともなう物理下りリンク制御チャネルの検出に基づいて、前記Ｃ−ＲＮＴＩをともなう物理下りリンク制御チャネル対応する物理上りリンク共用チャネルを前記サブフレームｍ＋ｊで送信し、前記ｊは、前記第１のＵＬ−ＤＬ設定に基づいて与えられる。【００１８】
（７）また、本発明の端末装置において、前記設定部は、測定ギャップをセットし、前記受信部は、前記アクティブタイムの間、前記第２のＵＬ−ＤＬ設定に基づいて下りリンクサブフレーム、または、ＤｗＰＴＳを含むサブフレームとして設定されたサブフレームに対して、前記サブフレームが前記設定された測定ギャップの一部ではないならば、前記Ｃ−ＲＮＴＩをともなう物理下りリンク制御チャネルをモニタする。【００１９】
（８）また、本発明の端末装置において、前記第１のＵＬ−ＤＬ設定、および、前記第２のＵＬ−ＤＬ設定は、フレーム内における下りリンクサブフレーム、上りリンクサブフレーム、および、ＤｗＰＴＳを含むサブフレームによって定義される。【００２０】
（９）また、本発明の端末装置において、前記第３のＵＬ−ＤＬ設定は、フレーム内における下りリンクサブフレーム、上りリンクサブフレーム、および、ＤｗＰＴＳを含むサブフレームによって定義される。【００２１】
（１０）また、本発明の基地局装置は、間欠受信の処理を行なう端末装置と通信する基地局装置であって、前記端末装置に対して、第１のＵＬ−ＤＬ設定をセットする設定部と、第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信する送信部と、を備え、前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、前記第２のサブフレームは、前記第２のＵＬ−ＤＬ設定に基づいて下りリンクサブフレーム、または、ＤｗＰＴＳを含むサブフレームとして設定されるサブフレームである。【００２２】
（１１）また、本発明の基地局装置において、前記アクティブタイムは、前記間欠受信のサイクルの始めから連続する前記第１のサブフレームの数に関連する。【００２３】
（１２）また、本発明の基地局装置において、前記第１のＵＬ−ＤＬ設定に基づいて上りリンクサブフレームとして設定されるサブフレームは、前記第２のＵＬ−ＤＬ設定に基づいて上りリンクサブフレームまたは下りリンクサブフレームとして設定されうる。【００２４】
（１３）また、本発明の基地局装置は、ＨＡＲＱ−ＡＣＫを受信する受信部を備え、前記設定部は、前記端末装置に対して第３のＵＬ−ＤＬ設定をセットし、前記送信部は、サブフレームｎにおいて、前記Ｃ−ＲＮＴＩをともなう物理下りリンク制御チャネル、および、前記Ｃ−ＲＮＴＩをともなう物理下りリンク制御チャネルに対応する物理下りリンク共用チャネルを送信し、前記受信部は、前記サブフレームｎで送信した物理下りリンク共用チャネルに対するＨＡＲＱ−ＡＣＫをサブフレームｎ＋ｋで受信し、前記ｋは、前記第３のＵＬ−ＤＬ設定に基づいて与えられる。【００２５】
（１４）また、本発明の基地局装置において、前記送信部は、サブフレームｍにおいて前記Ｃ−ＲＮＴＩをともなう物理下りリンク制御チャネルを送信し、前記受信部は、前記Ｃ−ＲＮＴＩをともなう物理下りリンク制御チャネル対応する物理上りリンク共用チャネルを前記サブフレームｍ＋ｊで受信し、前記ｊは、前記第１のＵＬ−ＤＬ設定に基づいて与えられる。【００２６】
（１５）また、本発明の基地局装置において、前記第１のＵＬ−ＤＬ設定、および、前記第２のＵＬ−ＤＬ設定は、フレーム内における下りリンクサブフレーム、上りリンクサブフレーム、および、ＤｗＰＴＳを含むサブフレームによって定義される。【００２７】
（１６）また、本発明の基地局装置において、前記第３のＵＬ−ＤＬ設定は、フレーム内における下りリンクサブフレーム、上りリンクサブフレーム、および、ＤｗＰＴＳを含むサブフレームによって定義される。【００２８】
（１７）また、本発明の集積回路は、間欠受信の処理を行なう端末装置に実装される集積回路であって、第１のＵＬ−ＤＬ設定をセットする機能と、物理下りリンク制御チャネルを介して第２のＵＬ−ＤＬ設定を示す情報を受信する機能と、前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする機能と、を含む一連の機能を前記端末装置に発揮させる。【００２９】
（１８）また、本発明の集積回路は、間欠受信の処理を行なう端末装置と通信する基地局装置に実装される集積回路であって、前記端末装置に対して、第１のＵＬ−ＤＬ設定をセットする機能と、第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信する機能と、を含む一連の機能を前記基地局装置に発揮させ、前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、前記第２のサブフレームは、前記第２のＵＬ−ＤＬ設定に基づいて下りリンクサブフレーム、または、ＤｗＰＴＳを含むサブフレームとして設定されるサブフレームである。【００３０】
（１９）また、本発明の無線通信方法は、間欠受信の処理を行なう端末装置に対して用いられる無線通信方法であって、第１のＵＬ−ＤＬ設定をセットし、物理下りリンク制御チャネルを介して第２のＵＬ−ＤＬ設定を示す情報を受信し、前記第１のＵＬ−ＤＬ設定に基づいて下りリンクサブフレーム、または、ＤｗＰＴＳ（Downlink Pilot Time Slot）を含むサブフレームとして設定される第１のサブフレームに基づくアクティブタイムの間、前記第２のＵＬ−ＤＬ設定に基づいて下りリンクサブフレーム、または、ＤｗＰＴＳを含むサブフレームとして設定される第２のサブフレームにおいて、Ｃ−ＲＮＴＩをともなう物理下りリンク制御チャネルをモニタする。【００３１】
（２０）また、本発明の無線通信方法は、間欠受信の処理を行なう端末装置と通信する基地局装置に対して用いられる無線通信方法であって、前記端末装置に対して、第１のＵＬ−ＤＬ設定をセットし、第１のサブフレームに基づくアクティブタイムの間にＣ−ＲＮＴＩをともなう物理下りリンク制御チャネルがモニタされるべき第２のサブフレームを示す第２のＵＬ−ＤＬ設定を示す情報を、物理下りリンク制御チャネルを介して送信し、前記第１のサブフレームは、前記第１のＵＬ−ＤＬ設定に基づいて下りリンクサブフレーム、または、ＤｗＰＴＳ（Downlink Pilot Time Slot）を含むサブフレームとして設定されるサブフレームであり、前記第２のサブフレームは、前記第２のＵＬ−ＤＬ設定に基づいて下りリンクサブフレーム、または、ＤｗＰＴＳを含むサブフレームとして設定されるサブフレームである。
【発明の効果】
【００３２】
この発明によれば、ダイナミックＴＤＤが適用される無線通信システムにおいて、効率的にＤＲＸを行なうことができる。
【図面の簡単な説明】
【００３３】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】本実施形態における上りリンク−下りリンク設定の一例を示す表である。
【図１０】本実施形態における第１の上りリンク参照ＵＬ−ＤＬ設定および第１の下りリンク参照ＵＬ−ＤＬ設定のセッティング方法を示すフロー図である。
【図１１】本実施形態における第２の上りリンク参照ＵＬ−ＤＬ設定のセッティング方法を示すフロー図である。
【図１２】本実施形態における他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペア、および、セカンダリーセルに対する第２の上りリンク参照ＵＬ−ＤＬ設定の対応を示す図である。
【図１３】本実施形態における第２の下りリンク参照ＵＬ−ＤＬ設定のセッティング方法を示すフロー図である。
【図１４】本実施形態におけるプライマリーセルに対する第１の下りリンク参照ＵＬ−ＤＬ設定、および、セカンダリーセルに対する第１の下りリンク参照ＵＬ−ＤＬ設定によって形成されるペア、および、セカンダリーセルに対する第２の下りリンク参照ＵＬ−ＤＬ設定の対応を示す図である。
【図１５】本実施形態における第１の上りリンク参照ＵＬ−ＤＬ設定によって指示されるサブフレームと第１の下りリンク参照ＵＬ−ＤＬ設定によって指示されるサブフレームの関係を示す図である。
【図１６】本実施形態における第１の上りリンク参照ＵＬ−ＤＬ設定によって指示されるサブフレームと第１の下りリンク参照ＵＬ−ＤＬ設定によって指示されるサブフレームと送信方向ＵＬ−ＤＬ設定によって指示されるサブフレームの関係を示す図である。
【図１７】本実施形態における第１の上りリンク参照ＵＬ−ＤＬ設定と第１の下りリンク参照ＵＬ−ＤＬ設定と送信方向ＵＬ−ＤＬ設定の関係を示す図である。
【図１８】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１９】本実施形態におけるＰＨＩＣＨが配置されるサブフレームｎと前記ＰＨＩＣＨが対応するＰＵＳＣＨが配置されるサブフレームｎ−ｋとの対応を示す図である。
【図２０】本実施形態におけるＰＵＳＣＨが配置されるサブフレームｎと前記ＰＵＳＣＨが対応するＰＨＩＣＨが配置されるサブフレームｎ＋ｋとの対応を示す図である。移動局装置１は、図２０の表に従ってｋの値を特定（選択、決定）する。
【図２１】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図２２】本実施形態におけるＤＲＸサイクルの一例を示す図である。
【図２３】本実施形態におけるＤＲＸオペレーションの一例を示すフロー図である。
【図２４】本実施形態におけるＤＲＸオペレーションの一例を示すフロー図である。
【図２５】本発明の第１の実施形態におけるＰＤＣＣＨサブフレームの一例を示す図である。
【図２６】本発明の第１の実施形態におけるＰＤＣＣＨサブフレームの一例を示す図である。
【図２７】本発明の第１の実施形態におけるＰＤＣＣＨサブフレームの一例を示す図である。
【図２８】本発明の第１の実施形態におけるＤＲＸオペレーションの一例を示す図である。
【図２９】本発明の第２の実施形態におけるＰＤＣＣＨサブフレームの一例を示す図である。
【図３０】本発明の第２の実施形態におけるＰＤＣＣＨサブフレームの一例を示す図である。
【図３１】本発明の第２の実施形態におけるＰＤＣＣＨサブフレームの一例を示す図である。
【図３２】本発明の第３の実施形態におけるＰＤＣＣＨサブフレームの一例を示す図である。
【図３３】本発明の第３の実施形態におけるＰＤＣＣＨサブフレームの一例を示す図である。
【図３４】本発明の第３の実施形態におけるＰＤＣＣＨサブフレームの一例を示す図である。
【発明を実施するための形態】
【００３４】
以下、本発明の実施形態について説明する。
【００３５】
本実施形態では、移動局装置は、複数のセルが設定される。移動局装置が複数のセルを介して通信する技術をセルアグリゲーション、またはキャリアアグリゲーションと称する。移動局装置に対して設定される複数のセルのそれぞれにおいて、本発明が適用されてもよい。また、設定された複数のセルの一部において、本発明が適用されてもよい。移動局装置に設定されるセルを、サービングセルとも称する。
【００３６】
設定された複数のサービングセルは、１つのプライマリーセルと１つまたは複数のセカンダリーセルを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルは設定されてもよい。
【００３７】
本実施形態の無線通信システムは、ＴＤＤ（Time Division Duplex）方式が適用される。セルアグリゲーションの場合には、複数のセルの全て、または、一部においてＴＤＤ方式が適用されてもよい。
【００３８】
ＴＤＤが適用される複数のセルがアグリゲートされる場合には、半二重（half-duplex）ＴＤＤ方式または全二重（full-duplex）ＴＤＤ方式が適用される。
【００３９】
半二重ＴＤＤ方式では、移動局装置は、ＴＤＤが適用される複数のセルにおいて、上りリンクの送信と下りリンクの受信を同時に行なうことはできない。半二重ＴＤＤの場合、移動局装置は、あるバンドにおける１つのプライマリーセル、または、異なる複数のバンドにおける１つのプライマリーセルおよび１つまたは複数のセカンダリーセルにおいて同時に送信および受信しない。
【００４０】
全二重TDD方式では、移動局装置は、ＴＤＤが適用される複数のセルにおいて、上りリンクの送信と下りリンクの受信を同時に行なうことができる。全二重ＴＤＤの場合、移動局装置は、異なる複数のバンドにおける複数のサービングセルにおいて同時に送信および受信ができる。
【００４１】
移動局装置は、移動局装置によってキャリアアグリゲーションがサポートされているバンドの組合せを示す情報を、基地局装置に送信する。移動局装置は、バンドの組合せのそれぞれに対して、異なる複数のバンドにおける前記複数のサービングセルにおける同時送信および受信をサポートしているかどうかを指示する情報を、基地局装置に送信する。
【００４２】
ＴＤＤが適用されるセルとＦＤＤ（Frequency Division Duplex）が適用されるセルとがアグリゲーションされる場合に、ＴＤＤが適用されるセルに対して本発明を適用することができる。
【００４３】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００４４】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４５】
本実施形態の物理チャネルおよび物理信号について説明する。
【００４６】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００４７】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared CHannel: DL-SCH）に対するＡＣＫ（ACKnowledgement）／ＮＡＣＫ（Negative-ACKnowledgement）を含む。ＡＣＫ／ＮＡＣＫを、ＨＡＲＱ−ＡＣＫ、ＨＡＲＱフィードバック、または、応答情報とも称する。
【００４８】
ＰＵＳＣＨは、上りリンクデータ（Uplink-Shared CHannel: UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００４９】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００５０】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００５１】
本実施形態において、以下の２つのタイプの上りリンク参照信号が用いられる。
・ＤＭＲＳ（DeModulation Reference Signal）
・ＳＲＳ（Sounding Reference Signal）
【００５２】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００５３】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳとも称する。第２のＳＲＳをアピリオディックＳＲＳとも称する。
【００５４】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast CHannel）
・ＰＣＦＩＣＨ（Physical Control Format Indicator CHannel）
・ＰＨＩＣＨ（Physical Hybrid automatic repeat request Indicator CHannel）
・ＰＤＣＣＨ（Physical Downlink Control CHannel）
・ＥＰＤＣＣＨ（Enhanced Physical Downlink Control CHannel）
・ＰＤＳＣＨ（Physical Downlink Shared CHannel）
【００５５】
ＰＢＣＨは、移動局装置１で共通に用いられるマスターインフォメーションブロック（Master Information Block: MIB, Broadcast CHannel: BCH）を報知するために用いられる。ＭＩＢは、４０ｍｓ間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（System Frame Number）は無線フレームの番号である。ＭＩＢはシステム情報である。例えば、ＭＩＢは、ＳＦＮを示す情報を含む。
【００５６】
ＰＣＦＩＣＨは、ＰＤＣＣＨの送信に用いられる領域（ＯＦＤＭシンボル）を指示する情報を送信するために用いられる。
【００５７】
ＰＨＩＣＨは、基地局装置３が受信した上りリンクデータ（Uplink Shared CHannel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５８】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００５９】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００６０】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において移動局装置を識別するための識別子である。
【００６１】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００６２】
ＰＤＳＣＨは、下りリンクデータ（Downlink Shared CHannel: DL-SCH）を送信するために用いられる。
【００６３】
図１において、下りリンクの無線通信では、以下の下りリンク物理信号が用いられる。下りリンク物理信号は、上位層から出力された情報を送信するために使用されないが、物理層によって使用される。
・同期信号（Synchronization Signal: SS）
・下りリンク参照信号（Downlink Reference Signal: DL RS）
【００６４】
同期信号は、移動局装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００６５】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００６６】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（DeModulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
【００６７】
ＣＲＳは、全てのサブフレームで送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００６８】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００６９】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７０】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００７１】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。
【００７２】
ＺＰ  ＣＳＩ−ＲＳのリソースは、基地局装置が設定する。基地局装置は、ＺＰ  ＣＳＩ−ＲＳをゼロ出力で送信する。つまり、基地局装置は、ＺＰ  ＣＳＩ−ＲＳを送信しない。基地局装置は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、移動局装置１は、干渉を測定することができる。
【００７３】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００７４】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（Transport Block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７５】
以下、本実施形態の無線フレーム（radio frame）の構成について説明する。
【００７６】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７７】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００７８】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７９】
単一の無線フレームは、少なくとも下りリンクサブフレーム、上りリンクサブフレーム、およびスペシャルサブフレームから構成される。
【００８０】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００８１】
以下、本実施形態のスロットの構成について説明する。
【００８２】
図３は、本実施形態のスロットの構成を示す図である。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００８３】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００８４】
以下、サブフレームのそれぞれにおいて送信される物理チャネルおよび物理信号について説明する。
【００８５】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００８６】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００８７】
図５は、本実施形態の上りリンクサブフレームにおける物理チャネルおよび物理信号の配置の一例を示す図である。図５において、横軸は時間軸であり、縦軸は周波数軸である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００８８】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００８９】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の1番目から９番目のＳＣ−ＦＤＭＡシンボルから構成され、ＧＰはスペシャルサブフレーム内の１０番目から１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００９０】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信しもてよい。基地局装置３は、スペシャルサブフレームのＤｗＰＴＳにおいて、ＰＢＣＨを送信しない。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳを送信しない。
【００９１】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、サブフレーム設定部１０１３、スケジューリング情報解釈部１０１５、および、ＤＲＸ（Discontinuous Reception、間欠受信）制御部１０１７を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００９２】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９３】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００９４】
上位層処理部１０１が備えるサブフレーム設定部１０１３は、第１の上りリンク参照ＵＬ−ＤＬ設定（Uplink reference configuration）、第１の下りリンク参照ＵＬ−ＤＬ設定（Downlink reference configuration）、第２の上りリンク参照ＵＬ−ＤＬ設定、第２の下りリンク参照ＵＬ−ＤＬ設定、および、送信方向ＵＬ−ＤＬ設定（transmission direction configuration）の管理をする。
【００９５】
サブフレーム設定部１０１３は、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定をセットする。
【００９６】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【００９７】
スケジューリング情報解釈部１０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行なうタイミングを決定する。
【００９８】
ＤＲＸ制御部１０１７は、第１の上りリンク参照ＵＬ−ＤＬ設定、および／または、第１の下りリンク参照ＵＬ−ＤＬ設定、および／または、第２の上りリンク参照ＵＬ−ＤＬ設定、および／または、第２の下りリンク参照ＵＬ−ＤＬ設定、および／または、送信方向ＵＬ−ＤＬ設定などに基づいてＰＤＣＣＨサブフレームを特定（選択、決定）する。
【００９９】
ＤＲＸ制御部１０１７は、前記ＰＤＣＣＨサブフレームに基づいてＤＲＸの処理を行なう。ＤＲＸ制御部１０１７は、前記ＰＤＣＣＨサブフレームに基づいてＤＲＸに関連するタイマーを管理する。
【０１００】
ＤＲＸ制御部１０１７は、サブフレームにおけるＰＤＣＣＨ／ＥＰＤＣＣＨのモニタを受信部１０５に指示する。
【０１０１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１０２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１０３】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出する。
【０１０４】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１０５】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１０６】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行ない、復号した下りリンクデータ（トランスポートブロック）を上位層処理部１０１へ出力する。
【０１０７】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１０８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１０９】
符号化部１０７１は、上位層処理部１０１から入力された上りリンク制御情報を畳込み符号化、ブロック符号化等の符号化を行なう。また、符号化部１０７１は、ＰＵＳＣＨのスケジューリングに用いられる情報に基づきターボ符号化を行なう。
【０１１０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【０１１１】
上りリンク参照信号生成部１０７９は、基地局装置３を識別するための物理セル識別子（Physical Cell Identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１１２】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１１３】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、ＤＲＸ制御部３０１７を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１１４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１１５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【０１１６】
上位層処理部３０１が備えるサブフレーム設定部３０１３は、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定の管理を、移動局装置１のそれぞれに対して行なう。
【０１１７】
サブフレーム設定部３０１３は、移動局装置１のそれぞれに対して、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定をセットする。
【０１１８】
サブフレーム設定部３０１３は、第１の上りリンク参照ＵＬ−ＤＬ設定を示す第１の情報、第１の下りリンク参照ＵＬ−ＤＬ設定を示す第２の情報、送信方向ＵＬ−ＤＬ設定を示す第３の情報を生成する。サブフレーム設定部３０１３は、送信部３０７を介して、第１の情報、第２の情報、および、第３の情報を、移動局装置１に送信する。
【０１１９】
基地局装置３は、移動局装置１に対する、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を決定してもよい。また、基地局装置３は、移動局装置１に対する、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を上位ノードから指示されてもよい。
【０１２０】
例えば、サブフレーム設定部３０１３は、上りリンクのトラフィック量および下りリンクのトラフィック量に基づいて、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定を決定してもよい。
【０１２１】
上位層処理部３０１が備えるスケジューリング部３０１５は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１２２】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および／または、送信方向ＵＬ−ＤＬ設定に基づいて、送信処理および受信処理を行なうタイミングを決定する。
【０１２３】
上位層処理部３０１が備えるＤＲＸ制御部３０１７は、第１の上りリンク参照ＵＬ−ＤＬ設定、および／または、第１の下りリンク参照ＵＬ−ＤＬ設定、および／または、第２の上りリンク参照ＵＬ−ＤＬ設定、および／または、第２の下りリンク参照ＵＬ−ＤＬ設定、および／または、送信方向ＵＬ−ＤＬ設定などに基づいてＰＤＣＣＨサブフレームを特定（選択、決定）する。
【０１２４】
ＤＲＸ制御部３０１７は、前記ＰＤＣＣＨサブフレームに基づいてＤＲＸに関連するタイマーを管理する。ＤＲＸ制御部３０１７は、サブフレームにおいて移動局装置１がＰＤＣＣＨ／ＥＰＤＣＣＨをモニタしているかを判断する。ＤＲＸ制御部３０１７は、該判断した結果をスケジューリング部３０１５に通知する。
【０１２５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１２６】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１２７】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行ない、周波数領域の信号を抽出し多重分離部３０５５に出力する。
【０１２８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１２９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１３０】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１３１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【０１３２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１３３】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１３４】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１３５】
以下、第１の上りリンク参照ＵＬ−ＤＬ設定（uplink reference uplink-downlink configuration）、第１の下りリンク参照ＵＬ−ＤＬ設定（downlink reference uplink-downlink configuration）、第２の上りリンク参照ＵＬ−ＤＬ設定、第２の下りリンク参照ＵＬ−ＤＬ設定、および、送信方向ＵＬ−ＤＬ設定（transmission direction uplink-downlink configuration）について説明する。
【０１３６】
第１の上りリンク参照ＵＬ−ＤＬ設定、第１の下りリンク参照ＵＬ−ＤＬ設定、第２の上りリンク参照ＵＬ−ＤＬ設定、第２の下りリンク参照ＵＬ−ＤＬ設定、および、送信方向ＵＬ−ＤＬ設定は、上りリンク−下りリンク設定（uplink-downlink configuration, UL-DL configuration）によって定義される。
【０１３７】
上りリンク−下りリンク設定は、無線フレーム内におけるサブフレームのパターンに関する設定である。上りリンク−下りリンク設定は、無線フレーム内におけるサブフレームのそれぞれが、下りリンクサブフレーム、上りリンクサブフレーム、および、スペシャルサブフレームの何れであるかを示す。
【０１３８】
つまり、第１の上りリンク参照ＵＬ−ＤＬ設定、第２の上りリンク参照ＵＬ−ＤＬ設定、第１の下りリンク参照ＵＬ−ＤＬ設定、第２の下りリンク参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【０１３９】
図９は、本実施形態における上りリンク−下りリンク設定の一例を示す表である。図９において、Ｄは下りリンクサブフレームを示し、Ｕは上りリンクサブフレームを示し、Ｓはスペシャルサブフレームを示す。
【０１４０】
図９において、無線フレーム内のサブフレーム１は、常にスペシャルサブフレームである。図９において、サブフレーム０と５は、常に下りリンク送信のためにリザーブされ、サブフレーム１は常に上りリンク送信のためにリザーブされる。
【０１４１】
図９において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【０１４２】
第１の上りリンク参照ＵＬ−ＤＬ設定を第１のパラメータ、第１の設定、または、サービングセル上りリンク−下りリンク設定とも称する。第１の下りリンク参照ＵＬ−ＤＬ設定を第２のパラメータ、または、第２の設定とも称する。第２の上りリンク参照ＵＬ−ＤＬ設定を第３のパラメータ、または、第３の設定とも称する。第２の下りリンク参照ＵＬ−ＤＬ設定を第４のパラメータ、または、第４の設定とも称する。送信方向ＵＬ−ＤＬ設定を第５のパラメータまたは第５の設定とも称する。
【０１４３】
第１または第２の上りリンク参照ＵＬ−ＤＬ設定として上りリンク−下りリンク設定ｉがセットされることを、第１または第２の上りリンク参照ＵＬ−ＤＬ設定ｉがセットされると称する。第１または第２の下りリンク参照ＵＬ−ＤＬ設定として上りリンク−下りリンク設定ｉがセットされることを、第１または第２の下りリンク参照ＵＬ−ＤＬ設定ｉがセットされると称する。送信方向ＵＬ−ＤＬ設定として上りリンク−下りリンク設定ｉがセットされることを、送信方向ＵＬ−ＤＬ設定ｉがセットされると称する。
【０１４４】
以下、第１の上りリンク参照ＵＬ−ＤＬ設定、第１の下りリンク参照ＵＬ−ＤＬ設定、および、送信方向ＵＬ−ＤＬ設定にセッティング方法ついて説明する。
【０１４５】
基地局装置３は、第１の上りリンク参照ＵＬ−ＤＬ設定、第１の下りリンクＵＬ−ＤＬ設定、および、送信方向ＵＬ−ＤＬ設定をセットする。基地局装置３は、第１の上りリンク参照ＵＬ−ＤＬ設定を示す第１の情報（TDD-Config）、第１の下りリンク参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０１４６】
複数のサービングセルのそれぞれに対して、第１の上りリンク参照ＵＬ−ＤＬ設定、第２の上りリンク参照ＵＬ−ＤＬ設定、第１の下りリンク参照ＵＬ−ＤＬ設定、第２の下りリンク参照ＵＬ−ＤＬ設定、および、送信方向ＵＬ−ＤＬ設定が定義されてもよい。
【０１４７】
基地局装置３は、サービングセルのそれぞれに対する、第１の情報、第２の情報、および、第３の情報を、複数のサービングセルが設定された移動局装置１に送信する。尚、サービングセルのそれぞれに対して、第１の常用、第２の情報、および、第３の情報が定義されてもよい。
【０１４８】
基地局装置３は、１つのプライマリーセルおよび１つのセカンダリーセルから構成される２つのサービングセルが設定された移動局装置１に対して、プライマリーセルに対する第１の情報、プライマリーセルに対する第２の情報、プライマリーセルに対する第３の情報、セカンダリーセルに対する第１の情報、セカンダリーセルに対する第２の情報、および、セカンダリーセルに対する第３の情報を送信してもよい。
【０１４９】
複数のサービングセルが設定された移動局装置１は、サービングセルのそれぞれに対して、第１の情報、第２の情報、および、第３の情報に基づいて、第１の上りリンク参照ＵＬ−ＤＬ設定、第１の下りリンク参照ＵＬ−ＤＬ設定、および、送信方向ＤＬ−ＵＬ設定をセットしてもよい。
【０１５０】
１つのプライマリーセルおよび１つのセカンダリーセルから構成される２つのサービングセルが設定された移動局装置１は、プライマリーセルに対する第１の上りリンク参照ＵＬ−ＤＬ設定、プライマリーセルに対する第１の下りリンク参照ＵＬ−ＤＬ設定、プライマリーセルに対する送信方向ＤＬ−ＵＬ設定、セカンダリーセルに対する第１の上りリンク参照ＵＬ−ＤＬ設定、セカンダリーセルに対する第１の下りリンク参照ＵＬ−ＤＬ設定、セカンダリーセルに対する送信方向ＤＬ−ＵＬ設定をセットしてもよい。
【０１５１】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、ＭＩＢ、ＭＡＣ  ＣＥまたは物理層の制御情報（例えば、ＤＣＩフォーマット）に含まれることが好ましい。
【０１５２】
第１の情報は、セル内の複数の移動局装置１に対して共通であることが好ましい。第２の情報は、セル内の複数の移動局装置１に対して共通であってもよいし、移動局装置１に対して専用であってもよい。第３の情報は、セル内の複数の移動局装置１に対して共通であってもよいし、移動局装置１に対して専用であってもよい。
【０１５３】
第２の情報は、第１の情報とともに送信されてもよい。第２の情報に基づいて第１の下りリンク参照ＵＬ−ＤＬ設定をセットしていない移動局装置１は、第３の情報を受信しなくてもよい。
【０１５４】
送信方向ＵＬ−ＤＬ設定を変更する周期は、下りリンク参照ＵＬ−ＤＬ設定を変更する周期よりも短いほうが好ましい。送信方向ＵＬ−ＤＬ設定を変更する頻度は、下りリンク参照ＵＬ−ＤＬ設定を変更する頻度よりも少ないほうが好ましい。下りリンク参照ＵＬ−ＤＬ設定を変更する周期は、上りリンク参照ＵＬ−ＤＬ設定を変更する周期よりも短いほうが好ましい。下りリンク参照ＵＬ−ＤＬ設定を変更する頻度は、上りリンク参照ＵＬ−ＤＬ設定を変更する頻度よりも少ないほうが好ましい。
【０１５５】
システムインフォメーションブロックタイプ１メッセージは、SFN mod 2 = 0を満たす無線フレームのサブフレーム５においてＰＤＳＣＨを介して伝送される。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１５６】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０１５７】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【０１５８】
ＭＡＣ  ＣＥはＰＤＳＣＨを介して送信される。ＭＡＣ  ＣＥは、ＭＡＣ層において処理される情報／信号である。
【０１５９】
移動局装置１は、第１の情報および／または第２の情報および／または第３の情報を含むＲＲＣメッセージを、ＰＤＳＣＨを介して受信した場合、該ＲＲＣメッセージに対応するRRC Connection Reconfiguration Completeメッセージを送信するサブフレーム（タイミング）において第１の上りリンク参照ＵＬ−ＤＬ設定および／または第１の下りリンク参照ＵＬ−ＤＬ設定および／または送信方向ＵＬ−ＤＬ設定をセットする（有効にする）ことが好ましい。
【０１６０】
移動局装置１は、サブフレームｎ−ｋにおいて第１の情報および／または第２の情報および／または第３の情報を含むＭＩＢを、ＰＢＣＨを介して受信した場合、サブフレームｎにおいて第１の上りリンク参照ＵＬ−ＤＬ設定／第１の下りリンク参照ＵＬ−ＤＬ設定および／または送信方向ＵＬ−ＤＬ設定をセットする（有効にする）ことが好ましい。例えば、ｋは４または８である。例えば、ｋは図２１の表および現在の第１または第２の下りリンク参照ＵＬ−ＤＬ設定に基づいて決定される。図２１の説明は後述する。
【０１６１】
移動局装置１は、サブフレームｎ−ｋにおいて第１の情報および／または第２の情報および／または第３の情報を含むＭＡＣ  ＣＥを、ＰＤＳＣＨを介して受信した場合、サブフレームｎにおいて第１の上りリンク参照ＵＬ−ＤＬ設定および／または第１の下りリンク参照ＵＬ−ＤＬ設定および／または送信方向ＵＬ−ＤＬ設定をセットする（有効にする）ことが好ましい。例えば、ｋは４または８である。例えば、サブフレームｎ＋ｋは、該ＭＡＣ  ＣＥの送信に用いられたＰＤＳＣＨに対するＨＡＲＱ−ＡＣＫ（ＡＣＫ）を送信するサブフレームである。例えば、ｋは図２１の表および、現在の第１または第２の下りリンク参照ＵＬ−ＤＬ設定に基づいて決定される。
【０１６２】
移動局装置１は、サブフレームｎ−ｋにおいて第１の情報および／または第２の情報および／または第３の情報を含む物理層の制御情報（例えば、ＤＣＩフォーマット）を、下りリンク物理チャネル（例えば、ＰＤＣＣＨ／ＥＰＤＣＣＨ）を介して受信した場合、サブフレームｎにおいて第１の上りリンク参照ＵＬ−ＤＬ設定および／または第１の下りリンク参照ＵＬ−ＤＬ設定および／または送信方向ＵＬ−ＤＬ設定をセットする（有効にする）ことが好ましい。例えば、ｋは４または８である。例えば、サブフレームｎ＋ｋは、該物理層の制御情報（例えば、ＤＣＩフォーマット）の送信に用いられた下りリンク物理チャネル（例えば、ＰＤＣＣＨ／ＥＰＤＣＣＨ）に対するＨＡＲＱ−ＡＣＫ（ＡＣＫ）を送信するサブフレームである。例えば、ｋは図２１の表および現在の第１または第２の下りリンク参照ＵＬ−ＤＬ設定に基づいて決定される。
【０１６３】
尚、あるサービングセルに対する第１の情報を受信し、該あるサービングセルに対する第２の情報を受信していない移動局装置１、および、あるサービングセルに対する第１の情報を送信し、該あるサービングセルに対する第２の情報を送信していない基地局装置３は、該あるサービングセルに対して、該あるサービングセルに対する第１の情報に基づいて第１の下りリンク参照ＵＬ−ＤＬ設定をセットしてもよい。移動局装置１は、第１の情報に基づいて第１の下りリンク参照ＵＬ−ＤＬ設定をセットしているサービングセルに対する第３の情報を無視してもよい。
【０１６４】
図１０は、本実施形態における第１の上りリンク参照ＵＬ−ＤＬ設定および第１の下りリンク参照ＵＬ−ＤＬ設定のセッティング方法を示すフロー図である。移動局装置１は、複数のサービングセルのそれぞれに対して、図１０におけるセッティング方法を実行する。
【０１６５】
移動局装置１は、あるサービングセルに対して、第１の情報に基づいて第１の上りリンク参照ＵＬ−ＤＬ設定をセットする（Ｓ１０００）。移動局装置１は、該あるサービングセルに対する第２の情報を受信しているかどうかを判断する（Ｓ１００２）。移動局装置１は、該あるサービングセルに対する第２の情報を受信している場合は、該あるサービングセルに対して、該あるサービングセルに対する第２の情報に基づいて第１の下りリンク参照ＵＬ−ＤＬ設定をセットする（Ｓ１００６）。移動局装置１は、該あるサービングセルに対する第２の情報を受信していない場合は（else/otherwise）、該あるサービングセルに対して、該あるサービングセルに対する第１の情報に基づいて第１の下りリンク参照ＵＬ−ＤＬ設定をセットする（Ｓ１００４）。
【０１６６】
第１の情報に基づいて第１の上りリンク参照ＵＬ−ＤＬ設定および第１の下りリンク参照ＵＬ−ＤＬ設定がセットされているサービングセルを、ダイナミックＴＤＤが設定されていないサービングセルとも称する。第２の情報に基づいて第１の下りリンク参照ＵＬ−ＤＬ設定がセットされているサービングセルを、ダイナミックＴＤＤが設定されているサービングセルとも称する。
【０１６７】
移動局装置１は、送信方向ＵＬ−ＤＬ設定がセットされているサービングセルに対する第１の下りリンク参照ＵＬ−ＤＬ設定を再設定した場合に、該サービングセルに対する送信方向ＵＬ−ＤＬ設定をクリア（clear）／破棄（discard）してもよい。
【０１６８】
尚、移動局装置１は、送信方向ＵＬ−ＤＬ設定がセットされているサービングセルに対して、再設定した第１の下りリンク参照ＵＬ−ＤＬ設定が前の第１の下りリンク参照ＵＬ−ＤＬ設定と同じ場合に、該サービングセルに対する送信方向ＵＬ−ＤＬ設定をクリア（clear）／破棄（discard）しなくてもよい。つまり、移動局装置１は、送信方向ＵＬ−ＤＬ設定がセットされているサービングセルに対する第１の下りリンク参照ＵＬ−ＤＬ設定が変更された場合に、該サービングセルに対する送信方向ＵＬ−ＤＬ設定をクリア（clear）／破棄（discard）してもよい。
【０１６９】
基地局装置３は、送信方向ＵＬ−ＤＬ設定がセットされているサービングセルに対する第１の下りリンク参照ＵＬ−ＤＬ設定の再設定／変更を移動局装置１に指示した場合に、該サービングセルに対する送信方向ＵＬ−ＤＬ設定が移動局装置１によってクリア（clear）／破棄（discard）されるとみなしてもよい。
【０１７０】
尚、移動局装置１は、第１の下りリンク参照ＵＬ−ＤＬ設定、および、送信方向ＵＬ−ＤＬ設定がセットされているサービングセルに対する第１の上りリンク参照ＵＬ−ＤＬ設定を再設定した場合に、第１の下りリンク参照ＵＬ−ＤＬ設定および送信方向ＵＬ−ＤＬ設定をクリア（clear）／破棄（discard）してもよい。
【０１７１】
基地局装置３は、第１の下りリンク参照ＵＬ−ＤＬ設定、および、送信方向ＵＬ−ＤＬ設定がセットされているサービングセルに対する第１の上りリンク参照ＵＬ−ＤＬ設定の再設定／変更を移動局装置１に指示した場合に、該サービングセルに対する第１の下りリンク参照ＵＬ−ＤＬ設定および送信方向ＵＬ−ＤＬ設定が移動局装置１によってクリア（clear）／破棄（discard）されるとみなしてもよい。
【０１７２】
移動局装置１は、第２の情報を受信し、第２の情報に基づき上りリンクの信号の送信が可能なサブフレームを判断し、次に第３の情報が受信されるか監視し、第３の情報を受信した場合に、第３の情報に基づき上りリンクの信号の送信が可能なサブフレームを判断する。
【０１７３】
例えば、基地局装置３は、ＰＤＣＣＨ／ＥＰＤＣＣＨを用いて、第３の情報を移動局装置１に送信する。第３の情報は、基地局装置３（セル）のカバレッジ内のダイナミックＴＤＤの動作の制御を行なう。第３の情報は、ＣＳＳ（Common Search Space）、または、ＵＳＳ（UE-specific Search Space）において送受信される。
【０１７４】
ＣＳＳは、複数の移動局装置１が共通してＰＤＣＣＨ／ＥＰＤＣＣＨの監視を行なう領域である。ＵＳＳは、少なくともＣ−ＲＮＴＩに基づいて定義される領域である。Ｃ−ＲＮＴＩは、移動局装置１に固有に割り当てられる識別子である。
【０１７５】
第３の情報の送受信に用いられるＰＤＣＣＨ／ＥＰＤＣＣＨにはＣ−ＲＮＴＩではなく、共通の識別子が用いられることが好ましい。また、移動局装置１が第３の情報を含むＰＤＣＣＨ／ＥＰＤＣＣＨをモニタするサブフレームは制限されてもよい。基地局装置３は、移動局装置１が第３の情報を含むＰＤＣＣＨ／ＥＰＤＣＣＨをモニタするサブフレームを制御してもよい。
【０１７６】
例えば、１０サブフレーム間隔で、第３の情報を含むＰＤＣＣＨ／ＥＰＤＣＣＨが配置されうる。例えば、移動局装置１は、１０サブフレーム間隔で、第３の情報をモニタする。第３の情報を含むＰＤＣＣＨ／ＥＰＤＣＣＨが配置されうるサブフレームは予め決められてもよい。例えば、第３の情報は無線フレームのサブフレーム０のみに配置されてもよい。
【０１７７】
基地局装置３は、必要と判断した場合にのみ、第３の情報を送信する。例えば、基地局装置３は、送信方向ＵＬ−ＤＬ設定を変更すると判断した場合に第３の情報を送信する。例えば、基地局装置３は、ダイナミックＴＤＤの動作を開始した移動局装置１に対して、第３の情報を通知する必要があると判断した場合に第３の情報を送信する。
【０１７８】
ダイナミックＴＤＤの動作を開始した移動局装置１は、第３の情報を含むＰＤＣＣＨ／ＥＰＤＣＣＨが配置されうるサブフレームで、第３の情報を含むＰＤＣＣＨ／ＥＰＤＣＣＨのモニタを行なう。
【０１７９】
移動局装置１は、受信した信号に対して復号を試み、第３の情報を含むＰＤＣＣＨ／ＥＰＤＣＣＨが検出されたか否かを判断する。移動局装置１は、第３の情報を含むＰＤＣＣＨ／ＥＰＤＣＣＨを検出した場合、検出した第３の情報に基づき、上りリンクの信号の送信が可能なサブフレームを判断する。移動局装置１は、第３の情報を含むＰＤＣＣＨ／ＥＰＤＣＣＨを検出しなかった場合、上りリンクの信号の送信が可能なサブフレームに関してこれまでの判断を維持してもよい。
【０１８０】
以下、第２の上りリンク参照ＵＬ−ＤＬ設定のセッティング方法について説明する。
【０１８１】
移動局装置１に対して複数のサービングセルが設定されており、少なくとも２つのサービングセルに対する第１の上りリンク参照ＵＬ−ＤＬ設定が異なる場合に、移動局装置１および基地局装置３は第２の上りリンク参照ＵＬ−ＤＬ設定をセットする。
【０１８２】
移動局装置１に対して複数のサービングセルが設定されており、少なくとも２つのサービングセルに対する第１の上りリンク参照ＵＬ−ＤＬ設定が異なる場合以外は、移動局装置１および基地局装置３は第２の上りリンク参照ＵＬ−ＤＬ設定をセットしなくてもよい。
【０１８３】
少なくとも２つのサービングセルに対する第１の上りリンク参照ＵＬ−ＤＬ設定が異なる場合以外は、全てのサービングセルに対する第１の上りリンク参照ＵＬ−ＤＬ設定が同じ場合である。移動局装置１に対して１つのサービングセルが設定されている場合は、移動局装置１および基地局装置３は第２の上りリンク参照ＵＬ−ＤＬ設定をセットしなくてもよい。
【０１８４】
図１１は、本実施形態における第２の上りリンク参照ＵＬ−ＤＬ設定のセッティング方法を示すフロー図である。図１１において、移動局装置１に対して、１つのプライマリーセルと１つのセカンダリーセルが設定されている。移動局装置１は、プライマリーセルおよびセカンダリーセルのそれぞれに対して、図１１におけるセッティング方法を実行する。
【０１８５】
移動局装置１は、プライマリーセルに対する第１の上りリンク参照ＵＬ−ＤＬ設定およびセカンダリーセルに対する第１の上りリンク参照ＵＬ−ＤＬ設定が異なるかどうかを判断する（Ｓ１１００）。移動局装置１は、プライマリーセルに対する第１の上りリンク参照ＵＬ−ＤＬ設定およびセカンダリーセルに対する第１の上りリンク参照ＵＬ−ＤＬ設定が同じ場合は、第２の上りリンク参照ＵＬ−ＤＬ設定をセットせずに、第２の上りリンク参照ＵＬ−ＤＬ設定のセッティング処理を終了する。
【０１８６】
移動局装置１は、プライマリーセルに対する第１の上りリンク参照ＵＬ−ＤＬ設定およびセカンダリーセルに対する第１の上りリンク参照ＵＬ−ＤＬ設定が異なる場合は、サービングセルがプライマリーセルであるか、セカンダリーセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ１１０２）。
【０１８７】
サービングセルがセカンダリーセルであり、移動局装置１が他のサービングセル（プライマリーセル）において、サービングセル（セカンダリーセル）に対応しＣＩＦをともなうＰＤＣＣＨ／ＥＰＤＣＣＨをモニタするように設定されている場合は、他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペアに基づいて、サービングセル（セカンダリーセル）に対する第２の上りリンク参照ＵＬ−ＤＬ設定をセットする（Ｓ１１０４）。
【０１８８】
Ｓ１１０４において、移動局装置１は、図１２の表に基づいて、サービングセル（セカンダリーセル）に対する第２の上りリンク参照ＵＬ−ＤＬ設定をセットする。図１２は、本実施形態における他のサービングセル（プライマリーセル）に対する第１の上りリンク参照ＵＬ−ＤＬ設定、および、サービングセル（セカンダリーセル）に対する第１の上りリンク参照ＵＬ−ＤＬ設定によって形成されるペア、および、セカンダリーセルに対する第２の上りリンク参照ＵＬ−ＤＬ設定の対応を示す図である。
【０１８９】
図１２において、プライマリーセルＵＬ−ＤＬ設定は、他のサービングセル（プライマリーセル）に対する第１の上りリンク参照ＵＬ−ＤＬ設定を参照する。図１２において、セカンダリーセルＵＬ−ＤＬ設定は、サービングセル（セカンダリーセル）に対する第１の上りリンク参照ＵＬ−ＤＬ設定を参照する。
【０１９０】
例えば、他のサービングセル（プライマリーセル）に対して第１の上りリンク参照ＵＬ−ＤＬ設定０をセットし、サービングセル（セカンダリーセル）に対して第１の上りリンク参照ＵＬ−ＤＬ設定２をセットしている場合は、セカンダリーセルに対して第２の上りリンク参照ＵＬ−ＤＬ設定１をセットする。
【０１９１】
サービングセルがプライマリーセルである、または、サービングセルがセカンダリーセルであり、移動局装置１が他のサービングセル（プライマリーセル）において、サービングセル（セカンダリーセル）に対応しＣＩＦをともなうＰＤＣＣＨ／ＥＰＤＣＣＨをモニタするように設定されていない場合は、サービングセルに対する第１の上りリンク参照ＵＬ−ＤＬ設定を、サービングセルに対する第２の上りリンク参照ＵＬ−ＤＬ設定にセットする（Ｓ１１０６）。
【０１９２】
基地局装置３は、図１１のセッティング方法に基づいて、第２の上りリンク参照ＵＬ−ＤＬ設定をセットする。
【０１９３】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【０１９４】
他のサービングセルにおいて、サービングセルに対応しＣＩＦをともなうＰＤＣＣＨ／ＥＰＤＣＣＨをモニタするように設定されている移動局装置１は、該他のサービングセルにおいてＣＩＦをともなうＰＤＣＣＨ／ＥＰＤＣＣＨをモニタする。
【０１９５】
他のサービングセルにおいて、サービングセルに対応しＣＩＦをともなうＰＤＣＣＨ／ＥＰＤＣＣＨをモニタするように設定されている移動局装置１は、該他のサービングセルにおいて、該サービングセルに対する第３の情報をＰＤＣＣＨ／ＥＰＤＣＣＨを介して受信することが好ましい。
【０１９６】
他のサービングセルにおいて、サービングセルに対応しＣＩＦをともなうＰＤＣＣＨ／ＥＰＤＣＣＨをモニタするように設定されていない移動局装置１は、該サービングセルにおいてＣＩＦをともなう、または、ＣＩＦをともなわないＰＤＣＣＨ／ＥＰＤＣＣＨをモニタする。
【０１９７】
他のサービングセルにおいて、サービングセルに対応しＣＩＦをともなうＰＤＣＣＨ／ＥＰＤＣＣＨをモニタするように設定されていない移動局装置１は、該サービングセルにおいて、該サービングセルに対する第３の情報をＰＤＣＣＨ／ＥＰＤＣＣＨを介して受信することが好ましい。
【０１９８】
プライマリーセルに対するＰＤＣＣＨ／ＥＰＤＣＣＨは、プライマリーセルにおいて送信される。プライマリーセルに対する第３の情報は、プライマリーセルのＰＤＣＣＨ／ＥＰＤＣＣＨを介して送信されることが好ましい。
【０１９９】
基地局装置３は、プライマリーセルにおいて送信されるＤＣＩフォーマットにＣＩＦが含まれるかどうかを示すパラメータ（cif-Presence-r10）を、移動局装置１に送信する。
【０２００】
基地局装置３は、セカンダリーセルのそれぞれに対して、クロスキャリアスケジューリングに関連するパラメータ（CrossCarrierSchedulingConfig-r10）を、移動局装置１に送信する。
【０２０１】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【０２０２】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【０２０３】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する前記セカンダリーセルに対する下りリンク割り当てが何れのサービングセルで送られるかを示すパラメータ（schedulingCellId）を含む。
【０２０４】
以下、第２の下りリンク参照ＵＬ−ＤＬ設定のセッティング方法について説明する。
【０２０５】
移動局装置１に対して複数のサービングセルが設定されており、少なくとも２つのサービングセルに対する第１の下りリンク参照ＵＬ−ＤＬ設定が異なる場合に、移動局装置１および基地局装置３は第２の下りリンク参照ＵＬ−ＤＬ設定をセットする。移動局装置１に対して複数のサービングセルが設定されており、少なくとも２つのサービングセルに対する第１の下りリンク参照ＵＬ−ＤＬ設定が異なる場合以外は、移動局装置１および基地局装置３は第２の下りリンク参照ＵＬ−ＤＬ設定をセットしなくてもよい。
【０２０６】
少なくとも２つのサービングセルに対する第１の下りリンク参照ＵＬ−ＤＬ設定が異なる場合以外は、全てのサービングセルに対する第１の下りリンク参照ＵＬ−ＤＬ設定が同じ場合である。移動局装置１に対して１つのサービングセルが設定されている場合は、移動局装置１および基地局装置３は第２の下りリンク参照ＵＬ−ＤＬ設定をセットしなくてもよい。
【０２０７】
図１３は、本実施形態における第２の下りリンク参照ＵＬ−ＤＬ設定のセッティング方法を示すフロー図である。図１３において、移動局装置１に対して、１つのプライマリーセルと１つのセカンダリーセルが設定されている。移動局装置１は、プライマリーセルおよびセカンダリーセルのそれぞれに対して、図１３におけるセッティング方法を実行する。
【０２０８】
移動局装置１は、プライマリーセルに対する第１の下りリンク参照ＵＬ−ＤＬ設定およびセカンダリーセルに対する第１の下りリンク参照ＵＬ−ＤＬ設定が異なるかどうかを判断する（Ｓ１３００）。移動局装置１は、プライマリーセルに対する第１の下りリンク参照ＵＬ−ＤＬ設定およびセカンダリーセルに対する第１の下りリンク参照ＵＬ−ＤＬ設定が同じ場合は、第２の下りリンク参照ＵＬ−ＤＬ設定をセットせずに、第２の下りリンク参照ＵＬ−ＤＬ設定のセッティング処理を終了する。
【０２０９】
移動局装置１は、プライマリーセルに対する第１の下りリンク参照ＵＬ−ＤＬ設定およびセカンダリーセルに対する第１の下りリンク参照ＵＬ−ＤＬ設定が異なる場合は、サービングセルがプライマリーセルであるか、セカンダリーセルであるかを判断する（Ｓ１３０２）。
【０２１０】
サービングセルがセカンダリーセルである場合は、他のサービングセル（プライマリーセル）に対する第１の下りリンク参照ＵＬ−ＤＬ設定、および、サービングセル（セカンダリーセル）に対する第１の下りリンク参照ＵＬ−ＤＬ設定によって形成されるペアに基づいて、サービングセル（セカンダリーセル）に対する第２の上りリンク参照ＵＬ−ＤＬ設定をセットする（Ｓ１３０４）。
【０２１１】
Ｓ１３０４において、移動局装置１は、図１４の表に基づいて、サービングセル（セカンダリーセル）に対する第２の下りリンク参照ＵＬ−ＤＬ設定をセットする。図１４は、本実施形態におけるプライマリーセルに対する第１の下りリンク参照ＵＬ−ＤＬ設定、および、セカンダリーセルに対する第１の下りリンク参照ＵＬ−ＤＬ設定によって形成されるペア、および、セカンダリーセルに対する第２の下りリンク参照ＵＬ−ＤＬ設定の対応を示す図である。
【０２１２】
図１４において、プライマリーセルＵＬ−ＤＬ設定は、プライマリーセルに対する第１の下りリンク参照ＵＬ−ＤＬ設定を参照する。図１４において、セカンダリーセルＵＬ−ＤＬ設定は、セカンダリーセルに対する第１の下りリンク参照ＵＬ−ＤＬ設定を参照する。
【０２１３】
プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット１に属する場合は、セカンダリーセルに対する第２の下りリンク参照ＵＬ−ＤＬ設定はセット１において定義されている。
【０２１４】
移動局装置１がプライマリーセルにおいて、セカンダリーセルに対応しＣＩＦをともなうＰＤＣＣＨ／ＥＰＤＣＣＨをモニタするように設定されておらず、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット２に属する場合は、セカンダリーセルに対する第２の下りリンク参照ＵＬ−ＤＬ設定はセット２において定義されている。
【０２１５】
移動局装置１がプライマリーセルにおいて、セカンダリーセルに対応しＣＩＦをともなうＰＤＣＣＨ／ＥＰＤＣＣＨをモニタするように設定されておらず、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット３に属する場合は、セカンダリーセルに対する第２の下りリンク参照ＵＬ−ＤＬ設定はセット３において定義されている。
【０２１６】
移動局装置１がプライマリーセルにおいて、セカンダリーセルに対応しＣＩＦをともなうＰＤＣＣＨ／ＥＰＤＣＣＨをモニタするように設定されており、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット４に属する場合は、セカンダリーセルに対する第２の下りリンク参照ＵＬ−ＤＬ設定はセット４において定義されている。
【０２１７】
移動局装置１がプライマリーセルにおいて、セカンダリーセルに対応しＣＩＦをともなうＰＤＣＣＨ／ＥＰＤＣＣＨをモニタするように設定されており、プライマリーセルに対する第１の下りリンク参照ＵＬ−ＤＬ設定、および、セカンダリーセルに対する第１の下りリンク参照ＵＬ−ＤＬ設定によって形成されるペアが、図１４のセット５に属する場合は、セカンダリーセルに対する第２の下りリンク参照ＵＬ−ＤＬ設定はセット５において定義されている。
【０２１８】
例えば、プライマリーセルに対して第１の下りリンク参照ＵＬ−ＤＬ設定１をセットし、セカンダリーセルに対して第１の下りリンク参照ＵＬ−ＤＬ設定０をセットしている場合は、セカンダリーセルに対して第２の下りリンク参照ＵＬ−ＤＬ設定１をセットする。
【０２１９】
サービングセルがプライマリーセルである場合は、サービングセル（プライマリーセル）に対する第１の下りリンク参照ＵＬ−ＤＬ設定を、サービングセル（プライマリーセル）に対する第２の下りリンク参照ＵＬ−ＤＬ設定にセットする（Ｓ１３０６）。
【０２２０】
尚、基地局装置３も、図１３のセッティング方法に基づいて、第２の下りリンク参照ＵＬ−ＤＬ設定をセットする。
【０２２１】
以下、第１の上りリンク参照ＵＬ−ＤＬ設定について説明する。
【０２２２】
第１の上りリンク参照ＵＬ−ＤＬ設定は、サービングセルにおいて、上りリンクの送信が可能または不可能なサブフレームを特定するために少なくとも用いられる。
【０２２３】
移動局装置１は、第１の上りリンク参照ＵＬ−ＤＬ設定によって下りリンクサブフレームとして指示されたサブフレームにおいて上りリンクの送信を行なわない。移動局装置１は、第１の上りリンク参照ＵＬ−ＤＬ設定によってスペシャルサブフレームとして指示されたサブフレームのＤｗＰＴＳおよびＧＰにおいて上りリンクの送信を行なわない。
【０２２４】
以下、第１の下りリンク参照ＵＬ−ＤＬ設定について説明する。
【０２２５】
第１の下りリンク参照ＵＬ−ＤＬ設定は、サービングセルにおいて、下りリンクの送信が可能または不可能なサブフレームを特定するために少なくとも用いられる。
【０２２６】
移動局装置１は、第１の下りリンク参照ＵＬ−ＤＬ設定によって上りリンクサブフレームとして指示されたサブフレームにおいて下りリンクの送信を行なわない。移動局装置１は、第１の下りリンク参照ＵＬ−ＤＬ設定によってスペシャルサブフレームとして指示されたサブフレームのＵｐＰＴＳおよびＧＰにおいて下りリンクの送信を行なわない。
【０２２７】
第１の情報に基づいて第１の下りリンク参照ＵＬ−ＤＬ設定をセットしている移動局装置１は、第１の上りリンク参照ＵＬ−ＤＬ設定または第１の下りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０２２８】
従って、ダイナミックＴＤＤにおいて、基地局装置３が、第１の上りリンク参照ＵＬ−ＤＬ設定によって下りリンクサブフレームと指示されたサブフレームをスペシャルサブフレームまたは上りリンクサブフレームとして使用する、または、第１の上りリンク参照ＵＬ−ＤＬ設定によってスペシャルサブフレームと指示されたサブフレームを上りリンクサブフレームとして使用すると、第１の情報に基づいて第１の下りリンク参照ＵＬ−ＤＬ設定をセットしている移動局装置１が下りリンクの信号を用いた測定を適切に行なうことができなくなるという問題がある。
【０２２９】
ゆえに、基地局装置３は、第１の上りリンク参照ＵＬ−ＤＬ設定に基づいて限定される設定セット（セットの設定）の中から下りリンク参照ＵＬ−ＤＬ設定を決定する。つまり、第１の下りリンク参照ＵＬ−ＤＬ設定は、第１の上りリンク参照ＵＬ−ＤＬ設定に基づいて限定される設定セットにおける要素である。第１の上りリンク参照ＵＬ−ＤＬ設定に基づいて限定される設定セットは、以下の条件（ａ）から（ｃ）を満たす上りリンク−下りリンク設定を含む。図１５は、本実施形態における第１の上りリンク参照ＵＬ−ＤＬ設定によって指示されるサブフレームと第１の下りリンク参照ＵＬ−ＤＬ設定によって指示されるサブフレームの関係を示す図である。図１５において、Ｄは下りリンクサブフレームを示し、Ｕは上りリンクサブフレームを示し、Ｓはスペシャルサブフレームを示す。
【０２３０】
・条件（ａ）：第１の上りリンク参照ＵＬ−ＤＬ設定によって下りリンクサブフレームとして指示されるサブフレームを下りリンクサブフレームとして指示している
・条件（ｂ）：第１の上りリンク参照ＵＬ−ＤＬ設定によって上りリンクサブフレームとして指示されるサブフレームを上りリンクサブフレームまたは下りリンクサブフレームとして指示している
・条件（ｃ）：第１の上りリンク参照ＵＬ−ＤＬ設定によってスペシャルサブフレームとして指示されるサブフレームを下りリンクサブフレームまたはスペシャルサブフレームとして指示している
【０２３１】
これにより、ダイナミックＴＤＤにおいて、第１の上りリンク参照ＵＬ−ＤＬ設定によって下りリンクサブフレームと指示されたサブフレーム、および、スペシャルサブフレームのＤｗＰＴＳが上りリンクの送信のために利用されることはなくなるため、第１の情報に基づいて第１の下りリンク参照ＵＬ−ＤＬ設定をセットしている移動局装置１が下りリンクの信号を用いた測定を適切に行なうことができるようになる。
【０２３２】
尚、第２の情報に基づいて第１の下りリンク参照ＵＬ−ＤＬ設定をセットしている移動局装置１も、第１の上りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０２３３】
第１の上りリンク参照ＵＬ−ＤＬ設定によって上りリンクサブフレームとして指示され、第１の下りリンク参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０２３４】
第１の上りリンク参照ＵＬ−ＤＬ設定によってスペシャルサブフレームとして指示され、第１の下りリンク参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０２３５】
以下、送信方向ＵＬ−ＤＬ設定について詳細に説明する。
【０２３６】
移動局装置１が第１の上りリンク参照ＵＬ−ＤＬ設定、第１の下りリンク参照ＵＬ−ＤＬ設定、スケジューリング情報（ＤＣＩフォーマットおよび／またはＨＡＲＱ−ＡＣＫ）に基づいて送信の方向（上り／下り）を決定してしまうと、基地局装置３が他の移動局装置１に対する下りリンクの信号を送信するサブフレームにおいて、スケジューリング情報（ＤＣＩフォーマットおよび／またはＨＡＲＱ−ＡＣＫ）を誤って受信/復号してしまった移動局装置１が上りリンクの信号を送信し、該上りリンクの信号が該下りリンクの信号への干渉となってしまうという問題がある。
【０２３７】
そこで、本発明の移動局装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０２３８】
移動局装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０２３９】
基地局装置３は、送信方向ＵＬ−ＤＬ設定を示す第３の情報を、移動局装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０２４０】
例えば、送信方向ＵＬ−ＤＬ設定は、第１の上りリンク参照ＵＬ−ＤＬ設定によって上りリンクサブフレームとして指示され、第１の下りリンク参照ＵＬ−ＤＬ設定によって下りリンクサブフレームとして指示されたサブフレーム、および／または、第１の上りリンク参照ＵＬ−ＤＬ設定によってスペシャルサブフレームとして指示され、第１の下りリンク参照ＵＬ−ＤＬ設定によって下りリンクサブフレームとして指示されたサブフレームにおける、送信の方向を特定するために用いられる。つまり、送信方向ＵＬ−ＤＬ設定は、第１の上りリンク参照ＵＬ−ＤＬ設定と第１の下りリンク参照ＵＬ−ＤＬ設定とで異なるサブフレームとして指示されているサブフレームにおける、送信の方向を特定するために用いられる。
【０２４１】
図１６は、本実施形態における第１の上りリンク参照ＵＬ−ＤＬ設定によって指示されるサブフレームと第１の下りリンク参照ＵＬ−ＤＬ設定によって指示されるサブフレームと送信方向ＵＬ−ＤＬ設定によって指示されるサブフレームの関係を示す図である。図１６において、Ｄは下りリンクサブフレームを示し、Ｕは上りリンクサブフレームを示し、Ｓはスペシャルサブフレームを示す。
【０２４２】
基地局装置３は、第１の上りリンク参照ＵＬ−ＤＬ設定および第１の下りリンク参照ＵＬ−ＤＬ設定に基づいて限定される設定セット（セットの設定）の中から送信方向ＵＬ−ＤＬ設定を決定する。つまり、送信方向ＵＬ−ＤＬ設定は、第１の上りリンク参照ＵＬ−ＤＬ設定および第１の下りリンク参照ＵＬ−ＤＬ設定に基づいて限定される設定セットにおける要素である。第１の上りリンク参照ＵＬ−ＤＬ設定および第１の下りリンク参照ＵＬ−ＤＬ設定に基づいて限定される設定セットは、以下の条件（ｄ）から（ｈ）を満たす上りリンク−下りリンク設定を含む。
【０２４３】
・条件（ｄ）：第１の上りリンク参照ＵＬ−ＤＬ設定および第１の下りリンク参照ＵＬ−ＤＬ設定によって下りリンクサブフレームとして指示されるサブフレームを下りリンクサブフレームとして指示している
・条件（ｅ）：第１の上りリンク参照ＵＬ−ＤＬ設定および第１の下りリンク参照ＵＬ−ＤＬ設定によって上りリンクサブフレームとして指示されるサブフレームを上りリンクサブフレームとして指示している
・条件（ｆ）：第１の上りリンク参照ＵＬ−ＤＬ設定によって上りリンクサブフレームとして指示されるが、第１の下りリンク参照ＵＬ−ＤＬ設定によって下りリンクサブフレームとして指示されるサブフレームを、上りリンクサブフレームまたは下りリンクサブフレームとして指示している
・条件（ｇ）：第１の上りリンク参照ＵＬ−ＤＬ設定および第１の下りリンク参照ＵＬ−ＤＬ設定によってスペシャルサブフレームとして指示されるサブフレームをスペシャルサブフレームとして指示している
・条件（ｈ）：第１の上りリンク参照ＵＬ−ＤＬ設定によってスペシャルサブフレームとして指示されるが、第１の下りリンク参照ＵＬ−ＤＬ設定によって下りリンクサブフレームとして指示されるサブフレームを、スペシャルサブフレームまたは下りリンクサブフレームとして指示している
【０２４４】
基地局装置３は、送信方向ＵＬ−ＤＬ設定によって下りリンクサブフレームとして指示されたサブフレームにおいて、下りリンクの送信のスケジューリングを行なってもよい。
【０２４５】
移動局装置１は、送信方向ＵＬ−ＤＬ設定によって下りリンクサブフレームとして指示されたサブフレームにおいて、下りリンク信号の受信処理を行なってもよい。移動局装置１は、送信方向ＵＬ−ＤＬ設定によって下りリンクサブフレームとして指示されたサブフレームにおいて、ＰＤＣＣＨ／ＥＰＤＣＣＨのモニタを行なってもよい。移動局装置１は、ＰＤＣＣＨ／ＥＰＤＣＣＨを介した下りリンクグラントの検出に基づいて、送信方向ＵＬ−ＤＬ設定によって下りリンクサブフレームとして指示されたサブフレームにおいてＰＤＳＣＨの受信処理を行なってもよい。
【０２４６】
移動局装置１は、送信方向ＵＬ−ＤＬ設定によって下りリンクサブフレームとして指示されたサブフレームにおける上りリンク信号（ＰＵＳＣＨ／ＳＲＳ）の送信がスケジュールまたは設定された場合に、該サブフレームにおいて上りリンク信号（ＰＵＳＣＨ／ＳＲＳ）の送信処理を行なわない。
【０２４７】
基地局装置３は、送信方向ＵＬ−ＤＬ設定によって上りリンクサブフレームとして指示されたサブフレームにおいて、上りリンクの送信のスケジューリングを行なってもよい。
【０２４８】
基地局装置３は、送信方向ＵＬ−ＤＬ設定によって上りリンクサブフレームとして指示されたサブフレームにおいて、下りリンクの送信のスケジューリングを行なってもよい。送信方向ＵＬ−ＤＬ設定によって上りリンクサブフレームとして指示されたサブフレームにおいて、基地局装置３による下りリンクの送信のスケジューリングを禁止してもよい。
【０２４９】
移動局装置１は、送信方向ＵＬ−ＤＬ設定によって上りリンクサブフレームとして指示されたサブフレームにおいて、上りリンク信号の送信処理を行なってもよい。移動局装置１は、送信方向ＵＬ−ＤＬ設定によって上りリンクサブフレームとして指示されたサブフレームにおける上りリンク信号（ＰＵＳＣＨ／ＤＭＲＳ／ＳＲＳ）の送信がスケジュールまたは設定された場合に、該サブフレームにおいて上りリンク信号（ＰＵＳＣＨ／ＤＭＲＳ／ＳＲＳ）の送信処理を行なってもよい。
【０２５０】
移動局装置１は、送信方向ＵＬ−ＤＬ設定によって上りリンクサブフレームとして指示され、上りリンクの送信がスケジュールされていないサブフレームにおいて、下りリンク信号の受信処理を行なってもよい。送信方向ＵＬ−ＤＬ設定によって上りリンクサブフレームとして指示されたサブフレームにおいて、移動局装置１による下りリンク信号の受信処理を禁止してもよい。
【０２５１】
基地局装置３は、送信方向ＵＬ−ＤＬ設定によってスペシャルサブフレームとして指示されたサブフレームのＤｗＰＴＳにおいて、下りリンクの送信のスケジューリングを行なってもよい。
【０２５２】
移動局装置１は、送信方向ＵＬ−ＤＬ設定によってスペシャルサブフレームとして指示されたサブフレームのＤｗＰＴＳにおいて、下りリンク信号の受信処理を行なってもよい。移動局装置１は、送信方向ＵＬ−ＤＬ設定によってスペシャルサブフレームとして指示されたサブフレームのＤｗＰＴＳにおいて、ＰＤＣＣＨ／ＥＰＤＣＣＨのモニタを行なってもよい。移動局装置１は、ＰＤＣＣＨ／ＥＰＤＣＣＨを介した下りリンクグラントの検出に基づいて、送信方向ＵＬ−ＤＬ設定によってスペシャルサブフレームとして指示されたサブフレームのＤｗＰＴＳにおいてＰＤＳＣＨの受信処理を行なってもよい。
【０２５３】
移動局装置１は、送信方向ＵＬ−ＤＬ設定によってスペシャルサブフレームとして指示されたサブフレームにおけるＰＵＳＣＨの送信がスケジュールまたは設定された場合に、該サブフレームにおいてＰＵＳＣＨの送信処理を行なわない。
【０２５４】
移動局装置１は、送信方向ＵＬ−ＤＬ設定によってスペシャルサブフレームとして指示されたサブフレームのＵｐＰＴＳにおけるＳＲＳの送信が、スケジュールまたは設定された場合に、該サブフレームのＵｐＰＴＳにおいてＳＲＳの送信処理を行なってもよい。
【０２５５】
図１７は、本実施形態における第１の上りリンク参照ＵＬ−ＤＬ設定と第１の下りリンク参照ＵＬ−ＤＬ設定と送信方向ＵＬ−ＤＬ設定の関係を示す図である。
【０２５６】
例えば、図１７において、第１の上りリンク参照ＵＬ−ＤＬ設定が０である場合、第１の下りリンク参照ＵＬ−ＤＬ設定はセット｛０、１、２、３、４、５、６｝のうちの１つである。例えば、図１７において、第１の上りリンク参照ＵＬ−ＤＬ設定が１である場合、第１の下りリンク参照ＵＬ−ＤＬ設定はセット｛１、２、４、５｝のうちの１つである。
【０２５７】
例えば、図１７において、第１の上りリンク参照ＵＬ−ＤＬ設定が０であり、第１の下りリンク参照ＵＬ−ＤＬ設定が１である場合、送信方向ＵＬ−ＤＬ設定はセット｛０、１、６｝のうちの１つである。
【０２５８】
尚、第１の下りリンク参照ＵＬ−ＤＬ設定の値は、第１の上りリンク参照ＵＬ−ＤＬ設定の値と同じでもよい。しかし、第２の情報を受信していない移動局装置１は、第１の上りリンク参照ＵＬ−ＤＬ設定の値と同じ値を第１の下りリンク参照ＵＬ−ＤＬ設定としてセットするため、第２の情報が示す第１の下りリンク参照ＵＬ−ＤＬ設定の値は、第１の情報が示す第１の上りリンク参照ＵＬ−ＤＬ設定の値と同じではないほうが好ましい。
【０２５９】
第１の上りリンク参照ＵＬ−ＤＬ設定の値と第１の下りリンク参照ＵＬ−ＤＬ設定の値が同じ場合は、送信方向ＵＬ−ＤＬ設定は定義されなくてもよい。または、第１の上りリンク参照ＵＬ−ＤＬ設定の値と第１の下りリンク参照ＵＬ−ＤＬ設定の値が同じ場合は、第１の上りリンク参照ＵＬ−ＤＬ設定の値および第１の下りリンク参照ＵＬ−ＤＬ設定の値と同じ値が、送信方向ＵＬ−ＤＬ設定にセットされてもよい。
【０２６０】
尚、第１の上りリンク参照ＵＬ−ＤＬ設定および第１の下りリンク参照ＵＬ−ＤＬ設定に基づいて限定される設定セットとして、第１の上りリンク参照ＵＬ−ＤＬ設定の上りリンクー下りリンク設定および第１の下りリンク参照ＵＬ−ＤＬ設定の上りリンクー下りリンク設定から構成される設定セット（セットの設定）を用いてもよい。
【０２６１】
例えば、第１の上りリンク参照ＵＬ−ＤＬ設定が０であり、第１の下りリンク参照ＵＬ−ＤＬ設定が１である場合、第１の上りリンク参照ＵＬ−ＤＬ設定および第１の下りリンク参照ＵＬ−ＤＬ設定に基づいて限定される設定セットは｛０、１｝である。この場合には、第３の情報は１ビットであることが好ましい。
【０２６２】
第３の情報は、第１の上りリンク参照ＵＬ−ＤＬ設定および第１の下りリンク参照ＵＬ−ＤＬ設定から構成される設定セット（セットの設定）の中から送信方向ＵＬ−ＤＬ設定を示す情報でもよい。
【０２６３】
以下、第１の上りリンク参照ＵＬ−ＤＬ設定、および、第２の上りリンク参照ＵＬ−ＤＬ設定について詳細に説明する。
【０２６４】
第１の上りリンク参照ＵＬ−ＤＬ設定および第２の上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０２６５】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０２６６】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。
【０２６７】
図１８は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。移動局装置１は、図１８の表に従ってｋの値を特定（選択、決定）する。
【０２６８】
図１８において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２６９】
図１８において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２７０】
以下、図１８の説明において、第１の上りリンク参照ＵＬ−ＤＬ設定および第２の上りリンク参照ＵＬ−ＤＬ設定を、単に上りリンク−下りリンク設定と称する。
【０２７１】
移動局装置１は、サブフレームｎにおいて、上りリンク−下りリンク設定１から６がセットされているサービングセルに対応し、移動局装置１を対象とする上りリンクグラントをともなうＰＤＣＣＨ／ＥＰＤＣＣＨの検出をした場合に、図１８の表に基づいて特定（選択、決定）されるサブフレームｎ＋ｋにおいて該上りリンクグラントに応じたＰＵＳＣＨ送信を行なう。
【０２７２】
移動局装置１は、サブフレームｎにおいて、上りリンク−下りリンク設定１から６がセットされているサービングセルに対応し、移動局装置１を対象とするＮＡＣＫをともなうＰＨＩＣＨの検出をした場合に、図１８の表に基づいて特定（選択、決定）されるサブフレームｎ＋ｋにおいてＰＵＳＣＨ送信を行なう。
【０２７３】
上りリンク−下りリンク設定０が設定されたサービングセルに対応し、移動局装置１を対象とする上りリンクグラントには、２ビットの上りリンクインデックス（UL index）が含まれる。上りリンク−下りリンク設定１から６が設定されたサービングセルに対応し、移動局装置１を対象とする上りリンクグラントには、上りリンクインデックス（UL index）は含まれない。
【０２７４】
移動局装置１は、サブフレームｎにおいて、上りリンク−下りリンク設定０がセットされているサービングセルに対応する上りリンクグラントに含まれる上りリンクインデックスのＭＳＢ（Most Significant Bit）が１にセットされている場合には、図１８の表に基づいて特定（選択、決定）されるサブフレームｎ＋ｋにおいて該上りリンクグラントに応じたＰＵＳＣＨ送信を調整する。
【０２７５】
移動局装置１は、サブフレームｎ＝０または５における第１のリソースセットにおいて、上りリンク−下りリンク設定０がセットされているサービングセルに対応するＮＡＣＫをともなうＰＨＩＣＨを受信した場合には、図１８の表に基づいて特定（選択、決定）されるサブフレームｎ＋ｋにおいて該ＰＨＩＣＨに応じたＰＵＳＣＨ送信を調整する。
【０２７６】
移動局装置１は、サブフレームｎにおいて、上りリンク−下りリンク設定０がセットされているサービングセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨ送信を調整する。
【０２７７】
移動局装置１は、サブフレームｎ＝０または５における第２のリソースセットにおいて、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０２７８】
移動局装置１は、サブフレームｎ＝１または６において、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０２７９】
例えば、移動局装置１は、[ＳＦＮ＝ｍ、サブフレーム１]において、上りリンク−下りリンク設定０がセットされているサービングセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０２８０】
第１の上りリンク参照ＵＬ−ＤＬ設定および第２の上りリンク参照ＵＬ−ＤＬ設定は、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２８１】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２８２】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０２８３】
図１９は、本実施形態におけるＰＨＩＣＨが配置されるサブフレームｎと前記ＰＨＩＣＨが対応するＰＵＳＣＨが配置されるサブフレームｎ−ｋとの対応を示す図である。移動局装置１は、図１９の表に従ってｋの値を特定（選択、決定）する。
【０２８４】
図１９において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２８５】
図１９において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２８６】
以下、図１９の説明において、第１の上りリンク参照ＵＬ−ＤＬ設定および第２の上りリンク参照ＵＬ−ＤＬ設定を、単に上りリンク−下りリンク設定と称する。
【０２８７】
上りリンク−下りリンク設定１から６がセットされているサービングセルに対して、サブフレームｎにおいて、該サービングセルに対応するＰＨＩＣＨを介して受信されるＨＡＲＱインディケータ（ＨＡＲＱ−ＡＣＫ）は、図１９の表に基づいて特定されるサブフレームｎ−ｋにおけるＰＵＳＣＨの送信に関連する。
【０２８８】
上りリンク−下りリンク設定０がセットされているサービングセルに対して、サブフレームｎ＝０または５における第１のリソースセット、または、サブフレームｎ＝１または６において、該サービングセルに対応するＰＨＩＣＨを介して受信されるＨＡＲＱインディケータ（ＨＡＲＱ−ＡＣＫ）は、図１９の表に基づいて特定されるサブフレームｎ−ｋにおけるＰＵＳＣＨの送信に関連する。
【０２８９】
上りリンク−下りリンク設定０がセットされているサービングセルに対して、サブフレームｎ＝０または５における第２のリソースセットにおいて、該サービングセルに対応するＰＨＩＣＨを介して受信されるＨＡＲＱインディケータ（ＨＡＲＱ−ＡＣＫ）は、サブフレームｎ−６におけるＰＵＳＣＨの送信に関連する。
【０２９０】
例えば、上りリンク−下りリンク設定１がセットされているサービングセルに対して、[ＳＦＮ＝ｍ、サブフレーム１]においてＰＨＩＣＨを介して受信されたＨＡＲＱインディケータ（ＨＡＲＱ−ＡＣＫ）は、４つ前のサブフレーム[ＳＦＮ＝ｍ−１、サブフレーム７]におけるＰＵＳＣＨ送信に関連している。
【０２９１】
第１の上りリンク参照ＵＬ−ＤＬ設定および第２の上りリンク参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２９２】
１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、２つのサービングセルのそれぞれにおいて、対応する第１の上りリンク参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２９３】
１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、２つのサービングセルのそれぞれにおいて、対応する第２の上りリンク参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０２９４】
図２０は、本実施形態におけるＰＵＳＣＨが配置されるサブフレームｎと前記ＰＵＳＣＨが対応するＰＨＩＣＨが配置されるサブフレームｎ＋ｋとの対応を示す図である。移動局装置１は、図２０の表に従ってｋの値を特定（選択、決定）する。
【０２９５】
図２０において、１つのプライマリーセルが設定されている場合、または、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が同じ場合は、上りリンク−下りリンク設定は第１の上りリンク参照ＵＬ−ＤＬ設定を参照する。
【０２９６】
図２０において、１つのプライマリーセルおよび１つのセカンダリーセルが設定され、プライマリーセルに対する第１の上りリンク参照ＵＬ−ＤＬ設定およびセカンダリーセルに対する第１の上りリンク参照ＵＬ−ＤＬ設定が異なる場合は、上りリンク−下りリンク設定は第２の上りリンク参照ＵＬ−ＤＬ設定を参照する。
【０２９７】
以下、図２０の説明において、第１の上りリンク参照ＵＬ−ＤＬ設定および第２の上りリンク参照ＵＬ−ＤＬ設定を、単に上りリンク−下りリンク設定と称する。
【０２９８】
移動局装置１は、サブフレームｎにおいてＰＵＳＣＨ送信がスケジュールされた場合には、図２０の表から特定されるサブフレームｎ＋ｋにおいてＰＨＩＣＨリソースを決定する。
【０２９９】
例えば、上りリンク−下りリンク設定０がセットされているサービングセルに対して、[ＳＦＮ＝ｍ、サブフレームｎ＝２]においてＰＵＳＣＨ送信がスケジュールされた場合には、[ＳＦＮ＝ｍ、サブフレームｎ＝６]においてＰＨＩＣＨリソースが決定される。
【０３００】
例えば、上りリンク−下りリンク設定０がセットされているサービングセルに対して、[ＳＦＮ＝ｍ、サブフレームｎ＝３]においてＰＵＳＣＨ送信がスケジュールされた場合には、[ＳＦＮ＝ｍ＋１、サブフレームｎ＝０]における第１のリソースセットの中からＰＨＩＣＨリソースが決定される。
【０３０１】
例えば、上りリンク−下りリンク設定０がセットされているサービングセルに対して、[ＳＦＮ＝ｍ、サブフレームｎ＝４]においてＰＵＳＣＨ送信がスケジュールされた場合には、[ＳＦＮ＝ｍ＋１、サブフレームｎ＝０]における第２のリソースセットの中からＰＨＩＣＨリソースが決定される。
【０３０２】
例えば、上りリンク−下りリンク設定０がセットされているサービングセルに対して、[ＳＦＮ＝ｍ、サブフレームｎ＝７]においてＰＵＳＣＨ送信がスケジュールされた場合には、[ＳＦＮ＝ｍ＋１、サブフレームｎ＝１]においてＰＨＩＣＨリソースが決定される。
【０３０３】
例えば、上りリンク−下りリンク設定０がセットされているサービングセルに対して、[ＳＦＮ＝ｍ、サブフレームｎ＝８]においてＰＵＳＣＨ送信がスケジュールされた場合には、[ＳＦＮ＝ｍ＋１、サブフレームｎ＝５]における第１のリソースセットの中からＰＨＩＣＨリソースが決定される。
【０３０４】
例えば、上りリンク−下りリンク設定０がセットされているサービングセルに対して、[ＳＦＮ＝ｍ、サブフレームｎ＝９]においてＰＵＳＣＨ送信がスケジュールされた場合には、[ＳＦＮ＝ｍ＋１、サブフレームｎ＝５]における第２のリソースセットの中からＰＨＩＣＨリソースが決定される。
【０３０５】
以下、第１の下りリンク参照ＵＬ−ＤＬ設定、および、第２の下りリンク参照ＵＬ−ＤＬ設定について詳細に説明する。
【０３０６】
第１の下りリンク参照ＵＬ−ＤＬ設定および第２の下りリンク参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０３０７】
１つのプライマリーセルが設定されている場合、または、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が同じ場合は、２つのサービングセルのそれぞれにおいて、対応する第１の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０３０８】
１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が異なる場合は、２つのサービングセルのそれぞれにおいて、対応する第２の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０３０９】
図２１は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。移動局装置１は、図２１の表に従ってｋの値を特定（選択、決定）する。
【０３１０】
図２１において、１つのプライマリーセルが設定されている場合、または、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が同じ場合は、上りリンク−下りリンク設定は第１の下りリンク参照ＵＬ−ＤＬ設定を参照する。
【０３１１】
図２１において、１つのプライマリーセルおよび１つのセカンダリーセルが設定され、プライマリーセルに対する第１の下りリンク参照ＵＬ−ＤＬ設定およびセカンダリーセルに対する第１の下りリンク参照ＵＬ−ＤＬ設定が異なる場合は、上りリンク−下りリンク設定は第２の下りリンク参照ＵＬ−ＤＬ設定を参照する。
【０３１２】
以下、図２１の説明において、第１の下りリンク参照ＵＬ−ＤＬ設定および第２の下りリンク参照ＵＬ−ＤＬ設定を、単に上りリンク−下りリンク設定と称する。
【０３１３】
移動局装置１は、サービングセルのサブフレームｎ−ｋ（ｋは図２１の表によって特定される）において、移動局装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０３１４】
例えば、移動局装置１は、システムインフォメーションの送信に用いられるＰＤＳＣＨ送信に対するＨＡＲＱ−ＡＣＫの応答を行なわない。例えば、移動局装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０３１５】
例えば、移動局装置１は、サブフレームｎ＝２において、上りリンク−下りリンク設定１がセットされているサービングセルにおけるサブフレームｎ−６および／またはｎ−７において受信したＰＤＳＣＨに対するＨＡＲＱ−ＡＣＫの送信を行なう。
【０３１６】
尚、移動局装置１は、第１の上りリンク参照ＵＬ−ＤＬ設定がセットされており、第１の下りリンク参照ＵＬ−ＤＬ設定および送信方向ＵＬ−ＤＬ設定がセットされていない場合、第１の上りリンク参照ＵＬ−ＤＬ設定に基づいて送信の方向（上り／下り）を特定（選択、決定）してもよい。
【０３１７】
尚、移動局装置１は、第１の上りリンク参照ＵＬ−ＤＬ設定および第１の下りリンク参照ＵＬ−ＤＬ設定がセットされており、送信方向ＵＬ−ＤＬ設定がセットされていない場合、第１の下りリンク参照ＵＬ−ＤＬ設定に基づいて送信の方向（上り／下り）を特定（選択、決定）してもよい。
【０３１８】
尚、第２の情報を受信していないサービングセルに対して、第１の下りリンク参照ＵＬ−ＤＬ設定が定義されなくてもよい。この場合は、移動局装置１および基地局装置３は、上述した第１の下りリンク参照ＵＬ−ＤＬ設定に基づいて行なわれる処理を、第１の上りリンク参照ＵＬ−ＤＬ設定（サービングセルＵＬ−ＤＬ設定）に基づいて行なってもよい。第２の情報を受信していないサービングセルは、ダイナミックＴＤＤが設定されていないサービングセルである。
【０３１９】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なり、サービングセルがセカンダリーセルである場合は、他のサービングセル(プライマリーセル）に対する第１の上りリンク参照ＵＬ−ＤＬ設定、および、サービングセル（セカンダリーセル）に対する第１の下りリンク参照ＵＬ−ＤＬ設定によって形成されるペアに基づいて、サービングセル（セカンダリーセル）に対する第２の下りリンク参照ＵＬ−ＤＬ設定をセットしてもよい。
【０３２０】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なる場合は、２つのサービングセルのそれぞれにおいて、対応する第２の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０３２１】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が同じ場合は、プライマリーセルにおいて、対応する第１の上りリンク参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられ、セカンダリーセルにおいて、対応する第１の下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられてもよい。
【０３２２】
例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１の上りリンク参照ＵＬ−ＤＬ設定（サービングセルＵＬ−ＤＬ設定）およびセカンダリーセルに対する第１の下りリンク参照ＵＬ−ＤＬ設定が異なる場合は、図１２および図１４において、プライマリーセルＵＬ−ＤＬ設定は、プライマリーセルに対する第１の上りリンク参照ＵＬ−ＤＬ設定を参照する。
【０３２３】
以下、本発明のＤＲＸ（Discontinuous Reception）について説明する。
【０３２４】
ＤＲＸ機能（functionality）は上位層（ＲＲＣ）によって設定され、ＭＡＣによって処理される。ＤＲＸ機能は、移動局装置１のＣ−ＲＮＴＩおよびＳＰＳ  Ｃ−ＲＮＴＩに対する移動局装置１のＰＤＣＣＨモニタリング活動（activity）を制御する。
【０３２５】
ＲＲＣ＿ＣＯＮＮＥＣＴＥＤであるときにＤＲＸが設定されるならば、移動局装置１は以下で説明するＤＲＸオペレーションを用いて非連続的にＰＤＣＣＨをモニタしてもよい。それ以外の場合には、移動局装置１は連続的にＰＤＣＣＨをモニタしてもよい。
【０３２６】
ＤＲＸオペレーションは、複数のサービングセルに対して共通である。
【０３２７】
上位層（ＲＲＣ）は、以下の複数のタイマーと、drxStartOffsetの値を設定することによりＤＲＸオペレーションを制御する。drxShortCycleTimerとshortDRX-Cycleを設定するかどうかは、上位層（ＲＲＣ）の任意（optional）である。
【０３２８】
・onDurationTimer
・drx-InactivityTimer
・drx-RetransmissionTimer（ブロードキャストプロセスに対する下りリンクＨＡＲＱプロセスを除いて下りリンクＨＡＲＱプロセス毎に１つ）
・longDRX-Cycle
・drxShortCycleTimer（オプショナル）
・shortDRX-Cycle（オプショナル）
【０３２９】
基地局装置３は、onDurationTimer、drx-InactivityTimer、drx-RetransmissionTimer、longDRX-Cycle、drxShortCycleTimer、shortDRX-Cycle、および、drxStartOffsetの値を示すパラメータ／情報を含むＲＲＣメッセージを移動局装置１に送信してもよい。
【０３３０】
移動局装置１は、受信した該ＲＲＣメッセージに基づいて、onDurationTimer、drx-InactivityTimer、drx-RetransmissionTimer、longDRX-Cycle、drxShortCycleTimer、shortDRX-Cycle、および、drxStartOffsetの値をセットしてもよい。
【０３３１】
longDRX-CycleおよびshortDRX-Cycleを総称して、ＤＲＸサイクルとも称する。
【０３３２】
onDurationTimerは、ＤＲＸサイクルの始めから連続するＰＤＣＣＨサブフレームの数を示す。
【０３３３】
drx-InactivityTimerは、移動局装置１に対する上りリンクデータまたは下りリンクデータの初期送信を指示するＰＤＣＣＨがマップされるサブフレームの後の連続するＰＤＣＣＨサブフレームの数を示す。
【０３３４】
drx-RetransmissionTimerは、移動局装置１によって期待される下りリンク再送信のための連続するＰＤＣＣＨサブフレームの最大の数を示す。全てのサービングセルに対して、drx-RetransmissionTimerの同じ値が適用される。
【０３３５】
ＤＲＸサイクルは、オンデュレーション（On Duration）の繰り返し周期を示す。オンデュレーションの期間の後に、移動局装置１のＣ−ＲＮＴＩおよびＳＰＳ  Ｃ−ＲＮＴＩに対する移動局装置１のＰＤＣＣＨモニタリングの非活動（inactivity）が可能な期間が続く。
【０３３６】
図２２は、本実施形態におけるＤＲＸサイクルの一例を示す図である。図２２において、横軸は時間軸である。図２２において、オンデュレーションの期間Ｐ２２００において、移動局装置１はＰＤＣＣＨ／ＥＰＤＣＣＨをモニタする。図２２において、オンデュレーションの期間Ｐ２２００の後の期間Ｐ２２０２が、非活動が可能な期間である。つまり、図２２において、移動局装置１は、期間Ｐ２２０２においてＰＤＣＣＨ／ＥＰＤＣＣＨをモニタしなくてもよい。
【０３３７】
drxShortCycleTimerは、移動局装置１がショートＤＲＸサイクルに従う連続するサブフレームの数を示す。
【０３３８】
drxStartOffsetは、ＤＲＸサイクルがスタートするサブフレームを示す。
【０３３９】
HARQ RTT（Round Trip Time）タイマーは、drx-RetransmissionTimerのスタートに関連し、下りリンクＨＡＲＱプロセス毎に管理される。HARQ RTTタイマーは、下りリンクデータの送信から該下りリンクデータの再送信までの最小のインターバルを示す。
【０３４０】
ＴＤＤの場合、HARQ RTTタイマーはｋ＋４サブフレームにセットされ、ｋは下りリンク送信および該下りリンク送信に関連するＨＡＲＱフィードバックの間のインターバルであり、図２１の表に従って特定（選択、決定）される。
【０３４１】
尚、本実施形態では、１つの下りリンクＨＡＲＱプロセスは１つの下りリンクデータ（トランスポートブロック）のＨＡＲＱを制御する。尚、１つの下りリンクＨＡＲＱプロセスが２つの下りリンクデータを制御してもよい。
【０３４２】
ＤＲＸサイクルが設定された場合、アクティブタイム（Active Time）は下記の条件（ｉ）から（ｌ）の少なくとも１つを満たす期間を含む。
【０３４３】
・条件（ｉ）：onDurationTimer、または、drx-InactivityTimer、または、drx-RetransmissionTimer、または、mac-ContentionResolutionTimerがランニングしている
・条件（ｊ）：スケジューリング要求がＰＵＣＣＨで送信され、そして、ペンディングされている
・条件（ｋ）：ペンディングＨＡＲＱ再送信に対する上りリンクグラントが送信される可能性があり、そして、対応するＨＡＲＱバッファにデータがある
・条件（ｌ）：移動局装置１によって選択されていないプリアンブルに対するランダムアクセスレスポンスの受信に成功した後に、移動局装置１のＣ−ＲＮＴＩをともない、そして、初期送信を指示するＰＤＣＣＨをずっと受信していない
【０３４４】
タイマーは一度スタートすると、タイマーがストップされるまで、または、タイマーが満了するまでランニングしている。それ以外の場合は、タイマーはランニングしていない。タイマーがランニングしていないならば、タイマーはスタートされる可能性がある。タイマーがランニングしているならば、タイマーがリスタートされる可能性がある。タイマーは常に、該タイマーの初期値からスタート、または、リスタートされる。
【０３４５】
プリアンブルは、ランダムアクセスプロシージャのメッセージ１であり、ＰＲＡＣＨで送信される。移動局装置１によって選択されていないプリアンブルは、コンテンションベースドランダムアクセスプロシージャに関連する。
【０３４６】
ランダムアクセスレスポンスは、ランダムアクセスプロシージャのメッセージ２であり、ＰＤＳＣＨで送信される。基地局装置３は、受信したプリアンブルに対して、ランダムアクセスレスポンスを送信する。
【０３４７】
コンテンションベースドランダムアクセスプロシージャを実行中の移動局装置１は、ランダムアクセスレスポンスを受信した後にメッセージ３を送信する。移動局装置１は、メッセージ３が送信された後にメッセージ４に関連するＰＤＣＣＨ／ＥＰＤＣＣＨをモニタする。
【０３４８】
mac-ContentionResolutionTimerは、メッセージ３が送信された後に移動局装置１がＰＤＣＣＨ／ＥＰＤＣＣＨをモニタする連続するサブフレームの数を示す。
【０３４９】
尚、全てのアクティベートされたサービングセルに対して、同じアクティブタイムが適用される。プライマリーセルは、常にアクティベートされている。セカンダリーセルは、ＭＡＣによってアクティベートまたはデアクティベートされる。基地局装置３は、セカンダリーセルのアクティベートまたはデアクティベートを指示するＭＡＣ  ＣＥを、移動局装置１に送信する。
【０３５０】
移動局装置１は、デアクティベートされたサービングセルにおいてＰＤＣＣＨ／ＥＰＤＣＣＨをモニタしなくてもよい。移動局装置１は、デアクティベートされたサービングセルに対するＰＤＣＣＨ／ＥＰＤＣＣＨをモニタしなくてもよい。
【０３５１】
図２３および図２４は、本実施形態におけるＤＲＸオペレーションの一例を示すフロー図である。ＤＲＸが設定された場合、移動局装置１は、サブフレームのそれぞれに対して、図２３および図２４のフロー図に基づいてＤＲＸオペレーションを実行する。
【０３５２】
移動局装置１は、このサブフレームにおいてHARQ RTTタイマーが満了する、且つ、該HARQ RTTタイマーに対応するＨＡＲＱプロセスのデータが成功裏に復号されなかったならば（Ｓ２３００）、移動局装置１は、該HARQ RTTタイマーに対応するＨＡＲＱプロセスに対するdrx-RetransmissionTimerをスタートし（Ｓ２３０２）、そして、Ｓ２３０４に進む。それ以外の場合（Ｓ２３００）、移動局装置１はＳ２３０４に進む。
【０３５３】
ＤＲＸコマンドＭＡＣ  ＣＥが受信されるならば（Ｓ２３０４）、移動局装置１はonDurationTimerおよびdrx-InactivityTimerをストップし（Ｓ２３０６）、そして、Ｓ２３０８に進む。それ以外の場合（Ｓ２３０４）、移動局装置１はＳ２３０８に進む。
【０３５４】
drx-InactivityTimerが満了する、または、このサブフレームにおいてＤＲＸコマンドＭＡＣ  ＣＥが受信されるならば（Ｓ２３０８）、移動局装置１はＳ２３１０に進む。それ以外の場合（Ｓ２３０８）、移動局装置１はＳ２３１６に進む。
【０３５５】
ショートＤＲＸサイクル（shortDRX-Cycle）が設定されていないならば（Ｓ２３１０）、移動局装置１はロングＤＲＸサイクルを用いる（Ｓ２３１２）、そして、Ｓ２３１６に進む。ショートＤＲＸサイクル（shortDRX-Cycle）が設定されているならば（Ｓ２３１０）、移動局装置１はdrxShortCycleTimerをスタートまたはリスタートし、ショートＤＲＸサイクルを用いる（Ｓ２３１２）、そして、Ｓ２３１６に進む。
【０３５６】
このサブフレームにおいてdrxShortCycleTimerが満了するならば（Ｓ２３１６）、移動局装置１は、ロングＤＲＸサイクルを用いる（Ｓ２３１８）、そして、図２４のＳ２４００に進む。それ以外の場合（Ｓ２３１６）、移動局装置１は、図２４のＳ２４００に進む。
【０３５７】
（１）ショートＤＲＸサイクルが用いられる、且つ、[(SFN * 10) + subframe番号] modulo (shortDRX-Cycle) = (drxStartOffset) modulo (shortDRX-Cycle)ならば、または、（２）ロングDRXサイクルが用いられる、且つ、[(SFN * 10) + subframe番号] modulo (longDRX-Cycle) = drxStartOffsetならば（Ｓ２４００）、移動局装置１はonDurationTimerをスタートし（Ｓ２４０２）、そして、Ｓ２４０４に進む。それ以外の場合（Ｓ２４００）、移動局装置１はＳ２４０４に進む。
【０３５８】
以下の条件（ｍ）から（ｑ）の全てを満たすならば（Ｓ２４０４）、移動局装置１は、このサブフレームにおいてＰＤＣＣＨ／ＥＰＤＣＣＨをモニタし（Ｓ２４０６）、そして、Ｓ２４０８に進む。
【０３５９】
・条件（ｍ）：このサブフレームがアクティブタイムの期間に含まれる
・条件（ｎ）：このサブフレームがＰＤＣＣＨサブフレームである
・条件（ｏ）：このサブフレームが半二重ＦＤＤ動作の移動局装置１に対する上りリンク送信に必要でない
・条件（ｐ）：このサブフレームがダイナミックＴＤＤ動作の移動局装置１に対する上りリンク信号（ＰＵＳＣＨ、ＰＵＣＣＨ）の送信に必要な第１のフレキシブルサブフレームでない
・条件（ｑ）：このサブフレームが設定された測定ギャップ（measurement gap）の一部ではない
【０３６０】
条件（ｐ）は、このサブフレームが、ＰＵＳＣＨおよび／またはＰＵＣＣＨの送信がスケジュールおよび／または設定された第１のフレキシブルサブフレームではないことを含む。
【０３６１】
半二重ＦＤＤのサービングセルにおいて、移動局装置１は上りリンクの送信と下りリンクの受信を同時に行なうことはできない。移動局装置１は、ＦＤＤのバンドにおいて半二重ＦＤＤをサポートするかどうかを示す情報を、基地局装置３に送信してもよい。
【０３６２】
測定ギャップは、移動局装置１が異なる周波数のセル、および／または、異なるＲＡＴ（Radio Access Technology）の測定を行なうための時間間隔である。基地局装置３は、測定ギャップの期間を示す情報を、移動局装置１に送信する。移動局装置１は、該情報に基づいて測定ギャップの期間を設定する。
【０３６３】
条件（ｍ）から（ｑ）の少なくとも１つを満たさないならば（Ｓ２４０４）、移動局装置１は、このサブフレームに対するＤＲＸオペレーションを終了する。つまり、条件（ｍ）から（ｑ）の少なくとも１つを満たさないならば、移動局装置１は、このサブフレームにおけるＰＤＣＣＨ／ＥＰＤＣＣＨのモニタをしなくてもよい。
【０３６４】
尚、Ｓ２４０４において用いられる条件は、条件（ｍ）から（ｑ）に限られるものではなく、Ｓ２４０４において条件（ｍ）から（ｑ）と別の条件を用いてもよいし、条件（ｍ）から（ｑ）の一部を用いてもよい。
【０３６５】
ＰＤＣＣＨ／ＥＰＤＣＣＨを介して受信した下りリンクアサインメントが下りリンク送信を指示するならば、または、このサブフレームに対して下りリンクアサインメントが設定されているならば（Ｓ２４０８）、移動局装置１は、対応するＨＡＲＱプロセスに対するHARQ RTTタイマーをスタートし、対応するＨＡＲＱプロセスに対するdrx-RetransmissionTimerをストップする（Ｓ２４１０）。それ以外の場合（Ｓ２４０８）、移動局装置１はＳ２４１２に進む。
【０３６６】
下りリンクアサインメントが設定されている状態は、ＳＰＳ  Ｃ−ＲＮＴＩをともなう下りリンクアサインメントによってセミパーシステントスケジューリングがアクティベートされている状態を意味する。
【０３６７】
ＰＤＣＣＨ／ＥＰＤＣＣＨを介して受信した下りリンクアサインメントが、下りリンク、または、上りリンクの初期送信を指示するならば（Ｓ２４１２）、移動局装置１は、drx-InactivityTimerをスタートまたはリスタートし（Ｓ２４１４）、そして、このサブフレームに対するＤＲＸオペレーションを終了する。それ以外の場合は（Ｓ２４１２）、移動局装置１は、このサブフレームに対するＤＲＸオペレーションを終了する。
【０３６８】
ＰＤＣＣＨサブフレームの定義は、第１の実施形態、第２の実施形態、および、第３の実施形態のそれぞれにおいて異なる。
【０３６９】
以下、本発明の第１の実施形態について説明する。
【０３７０】
第１の実施形態において、移動局装置１および基地局装置３は、第１の下りリンク参照ＵＬ−ＤＬ設定に基づいてＰＤＣＣＨサブフレームを特定する。
【０３７１】
第１の実施形態において、１つのプライマリーセルを用いて基地局装置３と通信する移動局装置１、および、該基地局装置３は、半二重ＴＤＤの場合には、前記プライマリーセルに対応する前記第１の下りリンク参照ＵＬ−ＤＬ設定によって、下りリンクサブフレーム、または、ＤｗＰＴＳを含むサブフレームとして指示されたサブフレームをＰＤＣＣＨサブフレームとして特定（選択、決定）する。
【０３７２】
１つのプライマリーセルを用いてＴＤＤオペレーションを実行する場合、移動局装置１は同時に送信および受信を行なうことはできない。つまり、１つのプライマリーセルのみを用いて実行されるＴＤＤオペレーションは、半二重ＴＤＤである。
【０３７３】
第１の実施形態において、１つのプライマリーセルおよび１つまたは複数のセカンダリーセルを含む複数のサービングセルを用いて基地局装置３と通信する移動局装置１、および、該基地局装置３は、半二重ＴＤＤの場合には、前記プライマリーセルに対応する前記第１の下りリンク参照ＵＬ−ＤＬ設定によって、下りリンクサブフレーム、または、ＤｗＰＴＳを含むサブフレームとして指示されたサブフレームをＰＤＣＣＨサブフレームとして特定する。
【０３７４】
第１の実施形態において、１つのプライマリーセルおよび１つまたは複数のセカンダリーセルを含む複数のサービングセルを用いて基地局装置３と通信する移動局装置１、および、該基地局装置３は、全二重ＴＤＤの場合には、関連する前記セカンダリーセルに対する下りリンク割り当てが何れのサービングセルで送られるかを示すパラメータ（schedulingCellId）が前記セカンダリーセルに対して設定されているならば前記パラメータ（schedulingCellId）が設定されたセカンダリーセルを除いて、前記複数のサービングセルに対応する前記第１の下りリンク参照ＵＬ−ＤＬ設定によって、下りリンクサブフレーム、または、ＤｗＰＴＳを含むサブフレームとして指示されたサブフレームの和集合（union）をＰＤＣＣＨサブフレームとして特定する。
【０３７５】
尚、関連する前記セカンダリーセルに対する下りリンク割り当てが何れのサービングセルで送られるかを示すパラメータ（schedulingCellId）が、何れのセカンダリーセルに対しても設定されていないならば、該パラメータ（schedulingCellId）が設定されたセカンダリーセルを除く処理を行なわなくてもよい。
【０３７６】
図２５、図２６、および、図２７は、本発明の第１の実施形態におけるＰＤＣＣＨサブフレームの一例を示す図である。図２５、図２６、および、図２７において、Ｄは下りリンクサブフレームを示し、Ｕは上りリンクサブフレームを示し、Ｓはスペシャルサブフレームを示し、ＰはＰＤＣＣＨサブフレームを示す。
【０３７７】
図２５において、移動局装置１は１つのプライマリーセルを設定されており、セカンダリーセルを設定されていない。図２６および図２７において、移動局装置１は１つのプライマリーセルと１つのセカンダリーセルを設定されている。図２６および図２７において、該１つのセカンダリーセルに対応するＰＤＣＣＨ／ＥＰＤＣＣＨは、該セカンダリーセルで送信される。
【０３７８】
図２５および図２６において、移動局装置１は半二重ＴＤＤオペレーションを実行する。図２７において、移動局装置１は全二重ＴＤＤオペレーションを実行する。
【０３７９】
図２５および図２６において、移動局装置１および基地局装置３は、プライマリーセルに対する第１の下りリンク参照ＵＬ−ＤＬ設定３によって下りリンクサブフレーム、または、ＤｗＰＴＳを含むサブフレームとして指示されたサブフレーム｛０、１、５、６、７、８、９｝をＰＤＣＣＨサブフレームとして特定する。
【０３８０】
図２７において、移動局装置１および基地局装置３は、プライマリーセルに対する第１の下りリンク参照ＵＬ−ＤＬ設定３、および、セカンダリーセルに対する第１の下りリンク参照ＵＬ−ＤＬ設定２によって下りリンクサブフレーム、または、ＤｗＰＴＳを含むサブフレームとして指示されたサブフレームの和集合｛０、１、３、４、５、６、７、８、９｝をＰＤＣＣＨサブフレームとして特定する。
【０３８１】
図２８は、本発明の第１の実施形態におけるＤＲＸオペレーションの一例を示す図である。
【０３８２】
図２８において、移動局装置１は１つのプライマリーセルが設定されており、プライマリーセルに対する第１の上りリンク参照ＵＬ−ＤＬ設定は０であり、プライマリーセルに対する第１の下りリンク参照ＵＬ−ＤＬ設定は２である。
【０３８３】
図２８において、onDurationTimerは６であり、drx-InactivityTimerは２であり、drx-RetransmissionTimerは３であり、longDRX-Cycleは４０であり、drxStartOffsetの値は０である。図２８において、drxShortCycleTimerおよびshortDRX-Cycleは設定されていない。
【０３８４】
図２８において、HARQ RTTタイマーの値は、第１の下りリンク参照ＵＬ−ＤＬ設定２、および、図２１の表に基づいて特定される。
【０３８５】
図２８において、Ｄは下りリンクサブフレームを示し、Ｕは上りリンクサブフレームを示し、Ｓはスペシャルサブフレームを示し、ＰはＰＤＣＣＨサブフレームを示す。
【０３８６】
図２８において、第１の下りリンク参照ＵＬ−ＤＬ設定によって下りリンクサブフレーム、または、ＤｗＰＴＳを含むサブフレームとして指示されたサブフレームが、ＰＤＣＣＨサブフレームである。
【０３８７】
図２８において、上りリンクＨＡＲＱプロセスの数は７であり、ＨＡＲＱプロセス番号は第１の上りリンク参照ＵＬ−ＤＬ設定によって上りリンクサブフレームと指示されたサブフレームに対応している。
【０３８８】
図２８において、Ｇは、上りリンクＨＡＲＱプロセス５に対応するＰＵＳＣＨの送信を指示する上りリンクグラントの送信に用いられるＰＤＣＣＨ／ＥＰＤＣＣＨがマップされるサブフレームを示す。[ＳＦＮ＝０、サブフレーム５]における上りリンクＨＡＲＱプロセス５に対応する上りリンクグラントは、ＰＵＳＣＨの初期送信を指示している。[ＳＦＮ＝１、サブフレーム５]における上りリンクＨＡＲＱプロセス５に対応する上りリンクグラントは、ＰＵＳＣＨの再送信を指示している。
【０３８９】
図２８において、Ｎ’は上りリンクＨＡＲＱプロセス５に対応する、初期送信のＰＵＳＣＨが配置されるサブフレームを示し、Ｒ’は上りリンクＨＡＲＱプロセス５に対応する、再送信のＰＵＳＣＨが配置されるサブフレームを示す。
【０３９０】
図２８において、上りリンクグラントが配置されるサブフレームｎと、対応するＰＵＳＣＨが配置されるサブフレームｎ＋ｋは、第１の上りリンク参照ＵＬ−ＤＬ設定０に基づいて特定される。
【０３９１】
図２８において、Ｎは初期送信のＰＤＳＣＨが配置されるサブフレームを示し、Ｒは再送信のＰＤＳＣＨが配置されるサブフレームを示す。
【０３９２】
図２８において、移動局装置１は、[ＳＦＮ＝０、サブフレーム４]における下りリンクＨＡＲＱプロセス２に対応するＰＤＳＣＨ、[ＳＦＮ＝０、サブフレーム５]における下りリンクＨＡＲＱプロセス３に対応するＰＤＳＣＨ、[ＳＦＮ＝０、サブフレーム６]における下りリンクＨＡＲＱプロセス４に対応するＰＤＳＣＨ、[ＳＦＮ＝１、サブフレーム１]における下りリンクＨＡＲＱプロセス０に対応するＰＤＳＣＨ、および、[ＳＦＮ＝２、サブフレーム４]における下りリンクＨＡＲＱプロセス１に対応するＰＤＳＣＨの復号に成功している。
【０３９３】
図２８において、移動局装置１は、[ＳＦＮ＝０、サブフレーム０]における下りリンクＨＡＲＱプロセス０に対応するＰＤＳＣＨ、[ＳＦＮ＝０、サブフレーム１]における下りリンクＨＡＲＱプロセス１に対応するＰＤＳＣＨ、および、[ＳＦＮ＝１、サブフレーム３]における下りリンクＨＡＲＱプロセス１に対応するＰＤＳＣＨの復号に失敗している。
【０３９４】
図２８において、Ａはアクティブタイムに含まれるサブフレームを示す。図２８において、条件（ｉ）「onDurationTimer、または、drx-InactivityTimer、または、drx-RetransmissionTimer、または、mac-ContentionResolutionTimerがランニングしている」、および、条件（ｋ）「ペンディングＨＡＲＱ再送信に対する上りリンクグラントが送信される可能性があり、そして、対応するＨＡＲＱバッファにデータがある」を満たすサブフレームが、アクティブタイムに含まれる。図２８において、mac-ContentionResolutionTimerはランニングしていない。
【０３９５】
図２８において、ペンディングＨＡＲＱ再送信に対する上りリンクグラントが送信される可能性があるサブフレームは、第１の上りリンク参照ＵＬ−ＤＬ設定に基づいて特定され、[ＳＦＮ＝１、サブフレーム５]および[ＳＦＮ＝２、サブフレーム５]である。
【０３９６】
これにより、ダイナミックＴＤＤが適用される無線通信システムにおいて、効率的にＤＲＸを行なうことができる。
【０３９７】
尚、第１の実施形態において、移動局装置１に対して複数のサービングセルが設定されており、少なくとも２つのサービングセルに対する第１の下りリンク参照ＵＬ−ＤＬ設定が異なる場合に、第１の下りリンク参照ＵＬ−ＤＬ設定の代わりに第２の下りリンク参照ＵＬ−ＤＬ設定に基づいてＰＤＣＣＨサブフレームが特定されてもよい。
【０３９８】
以下、本発明の第２の実施形態について説明する。
【０３９９】
第１の実施形態では、第１の下りリンク参照ＵＬ−ＤＬ設定によって下りリンクサブフレームとして指示されたが、送信方向ＵＬ−ＤＬ設定によって上りリンクサブフレームとして指示されたサブフレームをＰＤＣＣＨサブフレームとして定義した。しかしながら、このようなＰＤＣＣＨサブフレームにおいてＰＤＣＣＨ／ＥＰＤＣＣＨは送信されない。
【０４００】
そこで、第２の実施形態では、移動局装置１および基地局装置３は、送信方向ＵＬ−ＤＬ設定に基づいてＰＤＣＣＨサブフレームを特定する。
【０４０１】
第２の実施形態において、１つのプライマリーセルを用いて基地局装置３と通信する移動局装置１、および、該基地局装置３は、半二重ＴＤＤの場合には、前記プライマリーセルに対応する前記送信方向ＵＬ−ＤＬ設定によって、下りリンクサブフレーム、または、ＤｗＰＴＳを含むサブフレームとして指示されたサブフレームをＰＤＣＣＨサブフレームとして特定（選択、決定）する。
【０４０２】
第２の実施形態において、１つのプライマリーセルおよび１つまたは複数のセカンダリーセルを含む複数のサービングセルを用いて基地局装置３と通信する移動局装置１、および、該基地局装置３は、半二重ＴＤＤの場合には、前記プライマリーセルに対応する前記送信方向ＵＬ−ＤＬ設定によって、下りリンクサブフレーム、または、ＤｗＰＴＳを含むサブフレームとして指示されたサブフレームをＰＤＣＣＨサブフレームとして特定する。
【０４０３】
第２の実施形態において、１つのプライマリーセルおよび１つまたは複数のセカンダリーセルを含む複数のサービングセルを用いて基地局装置３と通信する移動局装置１、および、該基地局装置３は、全二重ＴＤＤの場合には、関連する前記セカンダリーセルに対する下りリンク割り当てが何れのサービングセルで送られるかを示すパラメータ（schedulingCellId）が前記セカンダリーセルに対して設定されているならば前記パラメータ（schedulingCellId）が設定されたセカンダリーセルを除いて、前記複数のサービングセルに対応する前記送信方向ＵＬ−ＤＬ設定によって、下りリンクサブフレーム、または、ＤｗＰＴＳを含むサブフレームとして指示されたサブフレームの和集合（union）をＰＤＣＣＨサブフレームとして特定する。
【０４０４】
図２９、図３０、および、図３１は、本発明の第２の実施形態におけるＰＤＣＣＨサブフレームの一例を示す図である。図２９、図３０、および、図３１において、Ｄは下りリンクサブフレームを示し、Ｕは上りリンクサブフレームを示し、Ｓはスペシャルサブフレームを示し、ＰはＰＤＣＣＨサブフレームを示す。
【０４０５】
図２９において、移動局装置１は１つのプライマリーセルを設定されており、セカンダリーセルを設定されていない。図３０および図３１において、移動局装置１は１つのプライマリーセルと１つのセカンダリーセルを設定されている。図３０および図３１において、該１つのセカンダリーセルに対応するＰＤＣＣＨ／ＥＰＤＣＣＨは、該セカンダリーセルで送信される。
【０４０６】
図２９および図３０において、移動局装置１は半二重ＴＤＤオペレーションを実行する。図３１において、移動局装置１は全二重ＴＤＤオペレーションを実行する。
【０４０７】
図２９および図３０において、移動局装置１および基地局装置３は、プライマリーセルに対する送信方向参照ＵＬ−ＤＬ設定６によって下りリンクサブフレーム、または、ＤｗＰＴＳを含むサブフレームとして指示されたサブフレーム｛０、１、５、６、９｝をＰＤＣＣＨサブフレームとして特定する。
【０４０８】
図３１において、移動局装置１および基地局装置３は、プライマリーセルに対する送信方向ＵＬ−ＤＬ設定６、および、セカンダリーセルに対する送信方向ＵＬ−ＤＬ設定１によって下りリンクサブフレーム、または、ＤｗＰＴＳを含むサブフレームとして指示されたサブフレームの和集合｛０、１、４、５、６、９｝をＰＤＣＣＨサブフレームとして特定する。
【０４０９】
これにより、ダイナミックＴＤＤが適用される無線通信システムにおいて、効率的にＤＲＸを行なうことができる。
【０４１０】
以下、本発明の第３の実施形態について説明する。
【０４１１】
第３の実施形態において、移動局装置１および基地局装置３は、第１の上りリンク参照ＵＬ−ＤＬ設定に基づいてＰＤＣＣＨサブフレームを特定する。
【０４１２】
第３の実施形態において、１つのプライマリーセルを用いて基地局装置３と通信する移動局装置１、および、該基地局装置３は、半二重ＴＤＤの場合には、前記プライマリーセルに対応する前記第１の上りリンク参照ＵＬ−ＤＬ設定によって、下りリンクサブフレーム、または、ＤｗＰＴＳを含むサブフレームとして指示されたサブフレームをＰＤＣＣＨサブフレームとして特定（選択、決定）する。
【０４１３】
第３の実施形態において、１つのプライマリーセルおよび１つまたは複数のセカンダリーセルを含む複数のサービングセルを用いて基地局装置３と通信する移動局装置１、および、該基地局装置３は、半二重ＴＤＤの場合には、前記プライマリーセルに対応する前記第１の上りリンク参照ＵＬ−ＤＬ設定によって、下りリンクサブフレーム、または、ＤｗＰＴＳを含むサブフレームとして指示されたサブフレームをＰＤＣＣＨサブフレームとして特定する。
【０４１４】
第３の実施形態において、１つのプライマリーセルおよび１つまたは複数のセカンダリーセルを含む複数のサービングセルを用いて基地局装置３と通信する移動局装置１、および、該基地局装置３は、全二重ＴＤＤの場合には、関連する前記セカンダリーセルに対する下りリンク割り当てが何れのサービングセルで送られるかを示すパラメータ（schedulingCellId）が前記セカンダリーセルに対して設定されているならば前記パラメータ（schedulingCellId）が設定されたセカンダリーセルを除いて、前記複数のサービングセルに対応する前記第１の上りリンク参照ＵＬ−ＤＬ設定によって、下りリンクサブフレーム、または、ＤｗＰＴＳを含むサブフレームとして指示されたサブフレームの和集合（union）をＰＤＣＣＨサブフレームとして特定する。
【０４１５】
図３２、図３３、および、図３４は、本発明の第３の実施形態におけるＰＤＣＣＨサブフレームの一例を示す図である。図３２、図３３、および、図３４において、Ｄは下りリンクサブフレームを示し、Ｕは上りリンクサブフレームを示し、Ｓはスペシャルサブフレームを示し、ＰはＰＤＣＣＨサブフレームを示す。
【０４１６】
図３２において、移動局装置１は１つのプライマリーセルを設定されており、セカンダリーセルを設定されていない。図３３および図３４において、移動局装置１は１つのプライマリーセルと１つのセカンダリーセルを設定されている。図３３および図３４において、該１つのセカンダリーセルに対応するＰＤＣＣＨ／ＥＰＤＣＣＨは、該セカンダリーセルで送信される。
【０４１７】
図３２および図３３において、移動局装置１は半二重ＴＤＤオペレーションを実行する。図３４において、移動局装置１は全二重ＴＤＤオペレーションを実行する。
【０４１８】
図３２および図３３において、移動局装置１および基地局装置３は、プライマリーセルに対する第１の上りリンク参照ＵＬ−ＤＬ設定６によって下りリンクサブフレーム、または、ＤｗＰＴＳを含むサブフレームとして指示されたサブフレーム｛０、１、５、６、９｝をＰＤＣＣＨサブフレームとして特定する。
【０４１９】
図３４において、移動局装置１および基地局装置３は、プライマリーセルに対する第１の上りリンク参照ＵＬ−ＤＬ設定６、および、セカンダリーセルに対する第１の上りリンク参照ＵＬ−ＤＬ設定０によって下りリンクサブフレーム、または、ＤｗＰＴＳを含むサブフレームとして指示されたサブフレームの和集合｛０、１、５、６、９｝をＰＤＣＣＨサブフレームとして特定する。
【０４２０】
第３の実施形態では、第１の上りリンク参照ＵＬ−ＤＬ設定によって上りリンクサブフレームとして指示され、第１の下りリンク参照ＵＬ−ＤＬ設定によって下りリンクサブフレームと指示された第１のフレキシブルサブフレームは、ＰＤＣＣＨサブフレームではない。そこで、第３の実施形態のＤＲＸオペレーションでは、移動局装置１は、図２４のＳ２４０４において、条件（ｎ）の代わりに以下の条件（ｒ）を用いる。
【０４２１】
・条件（ｒ）：このサブフレームが、少なくとも１つの第１の下りリンク参照ＵＬ−ＤＬ設定によって下りリンクサブフレームとして指示されたサブフレームである
【０４２２】
つまり、第３の実施形態において、条件（ｍ）、（ｏ）、（ｐ）、（ｑ）、および、（ｒ）の全てを満たすならば、移動局装置１は、このサブフレームにおいてＰＤＣＣＨ／ＥＰＤＣＣＨをモニタしてもよい。
【０４２３】
これにより、第３の実施形態のＤＲＸオペレーションにおいて、移動局装置１は、第１のフレキシブルサブフレームでＰＤＣＣＨ／ＥＰＤＣＣＨをモニタするようになる。
【０４２４】
これにより、ダイナミックＴＤＤが適用される無線通信システムにおいて、効率的にＤＲＸを行なうことができる。
【０４２５】
尚、第３の実施形態において、移動局装置１に対して複数のサービングセルが設定されており、少なくとも２つのサービングセルに対する第１の上りリンク参照ＵＬ−ＤＬ設定が異なる場合に、第１の上りリンク参照ＵＬ−ＤＬ設定の代わりに第２の上りリンク参照ＵＬ−ＤＬ設定に基づいてＰＤＣＣＨサブフレームが特定されてもよい。
【０４２６】
尚、第１から第３の実施形態において、ダイナミックＴＤＤ動作の移動局装置１に対する上りリンク信号（ＰＵＳＣＨ、ＰＵＣＣＨ）の送信に必要なサブフレームを除いて、ＰＤＣＣＨサブフレームが特定されてもよい。つまり、ＰＵＳＣＨおよび／またはＰＵＣＣＨの送信がスケジュールおよび／または設定される第１のフレキシブルサブフレームを除いて、ＰＤＣＣＨサブフレームが特定されてもよい。
【０４２７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【０４２８】
尚、上述した実施形態における移動局装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０４２９】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０４３０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０４３１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０４３２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０４３３】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０４３４】
また、上述した実施形態では、端末装置もしくは通信装置の一例として移動局装置を記載したが、本願発明は、これに限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などの端末装置もしくは通信装置にも適用出来る。
【０４３５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４３６】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
１０１７  ＤＲＸ制御部
３０１１  無線リソース制御部
３０１３  サブフレーム設定部
３０１５  スケジューリング部
３０１７  ＤＲＸ制御部
【図１】
2014162913.tif 000003
【図２】
2014162913.tif 000004
【図３】
2014162913.tif 000005
【図４】
2014162913.tif 000006
【図５】
2014162913.tif 000007
【図６】
2014162913.tif 000008
【図７】
2014162913.tif 000009
【図８】
2014162913.tif 000010
【図９】
2014162913.tif 000011
【図１０】
2014162913.tif 000012
【図１１】
2014162913.tif 000013
【図１２】
2014162913.tif 000014
【図１３】
2014162913.tif 000015
【図１４】
2014162913.tif 000016
【図１５】
2014162913.tif 000017
【図１６】
2014162913.tif 000018
【図１７】
2014162913.tif 000019
【図１８】
2014162913.tif 000020
【図１９】
2014162913.tif 000021
【図２０】
2014162913.tif 000022
【図２１】
2014162913.tif 000023
【図２２】
2014162913.tif 000024
【図２３】
2014162913.tif 000025
【図２４】
2014162913.tif 000026
【図２５】
2014162913.tif 000027
【図２６】
2014162913.tif 000028
【図２７】
2014162913.tif 000029
【図２８】
2014162913.tif 000030
【図２９】
2014162913.tif 000031
【図３０】
2014162913.tif 000032
【図３１】
2014162913.tif 000033
【図３２】
2014162913.tif 000034
【図３３】
2014162913.tif 000035
【図３４】
2014162913.tif 000036
【国際調査報告】
2014162913.tif 000037
2014162913.tif 000038